(57)【特許請求の範囲】
【請求項１】
トナーとキャリアとから成る二成分現像剤を用いて、像形成体上の潜像の現像、及び形成されたトナー像の転写材上への転写、定着を行う画像形成方法において、前記トナー粒子は扁平形状であって、像形成体又は転写体上への付着がトナー扁平部によって付着し、また、トナーはキャリアに扁平部をもって付着し、キャリア表面積に対するトナー扁平部の断面積による表面被覆率が４０〜８０％の間にあって現像を行うことを特徴とする画像形成方法。
【請求項２】
現像或いは転写におけるトナー粒子の付着と移動は、トナーの扁平姿勢を保って行われることを特徴とする請求項１に記載の画像形成方法。
【請求項３】
請求項１に記載の画像形成方法において、
前記トナー粒子には外添剤が付着した状態で現像を行い、外添剤が付着したトナー粒子の帯電量Ｑ′（μＣ／ｇ）は、外添剤を有しないトナー粒子の帯電量Ｑ（μＣ／ｇ）に対し
｜Ｑ′｜＞｜Ｑ｜
の関係にあり、トナー粒子は扁平部をもって付着することを特徴とする画像形成方法。
【請求項４】
前記の帯電量Ｑ′（μＣ／ｇ）とＱ（μＣ／ｇ）の間では
｜Ｑ′｜／｜Ｑ｜＝１．１〜１．５
の関係にあることを特徴とする請求項３に記載の画像形成方法。
【請求項５】
前記トナー粒子に付着する外添剤の付着量は表面被覆率が５０〜１００％の間にあって現像を行うことを特徴とする請求項３又は４に記載の画像形成方法。
【請求項６】
請求項１に記載の画像形成方法において、
前記トナー粒子には外添剤が付着した状態でトナー粒子の扁平部分が像形成体に付着する現像を行い、扁平部の径をｒ、厚さをｄとするトナー粒子に対して、外添剤の数平均一次粒径ｐは、
ｐ／ｒ＝１０-1〜５×１０-3
の関係にあることを特徴とする画像形成方法。
【請求項７】
外添剤の粒径ｐとトナー粒子の厚さｄとの間では
ｐ／ｄ＝３×１０-1〜３×１０-2
の関係にあることを特徴とする請求項６に記載の画像形成方法。
【請求項８】
トナー粒子表面に付着する外添剤は、０．１〜５．０質量％の添加量であることを特徴とする請求項６又は７に記載の画像形成方法。
【請求項９】
外添剤には上記数平均一次粒径の外添剤と共に更に数平均一次粒径の小さな外添剤を併せ用いることを特徴とする請求項６〜８の何れか１項に記載の画像形成方法。
【請求項１０】
請求項１に記載の画像形成方法において、
前記トナーは球状の重合トナーを扁平化処理によって調整した扁平トナーで、前記扁平トナーに用いられる粒径ｄ0の球形重合トナーの粒度分布は、粒度分布の平均ｄ0（Ｍ）に対して
１／２＜ｄ0／ｄ0（Ｍ）＜２
の領域に８０％以上存在することを特徴とする画像形成方法。
【請求項１１】
前記球形重合トナーの粒度分布は、
１／４＜ｄ0／ｄ0（Ｍ）＜４
の領域に９５％以上存在することを特徴とする請求項１０に記載の画像形成方法。
【請求項１２】
請求項１に記載の画像形成方法において、
前記扁平トナーの厚さｄと扁平部の径ｒとの比（扁平度）の分布は、扁平度の平均（ｄ／ｒ）（Ｍ）に対して
１／２＜（ｄ／ｒ）／（ｄ／ｒ）（Ｍ）＜２
の領域に８０％以上存在することを特徴とする画像形成方法。
【請求項１３】
前記扁平トナーの扁平度の分布は
１／４＜（ｄ／ｒ）／（ｄ／ｒ）（Ｍ）＜４
の領域に９５％以上存在することを特徴とする請求項１２に記載の画像形成方法。
【発明の詳細な説明】
【０００１】
【発明の属する技術分野】
本発明は、複写機、プリンター等に用いられるトナー、特に二成分現像剤のトナーとして扁平トナーを用いた画像形成方法に関するものである。
【０００２】
【従来の技術】
通常の粉砕法或いは重合法で作製したトナーを用いて形成した画像は、トナーの消費量が多いため、表面に凹凸が出来、光沢のある良好な画像とならず高画質の画像を得ることは難しかった。又、転写時、トナー消費量が多いためトナー層が厚くなり転写率が悪くなるため高濃度の画像が得られず、且つトナー散りが発生し良好な画像が得られなかった。
【０００３】
現在まで、印刷ライクな高画質の画像を得るために、トナーの粒径を細かくしてトナー消費量を少なくし、表面の凹凸を無くし均一な光沢を得る試みがなされて来たが、トナーの小粒径化にともないトナーのカバーリングパワーが減少し、充分な画像濃度が得られず、且つ現像、転写、感光体のクリーニング等の画像形成プロセスも難しくなり電子写真による画像形成方法で高画質の画像が得られていない。又、トナー粒径を２〜３μｍに小粒径化したトナー粒子を用いると、トナー粒子を吸い込んだ場合、塵肺等の疾病を患うおそれがあり、安全衛生上も好ましくない。
【０００４】
塵肺等の心配の無い５μｍ程度の粒径の形状が球形或いは不定形のカラートナーを用いて、電子写真法によりカラートナーを重ね合わせてカラー画像（印字率２５％）を形成すると、トナーの消費量はＡ−４版プリント１枚当たり９０ｍｇ程度となり、現像、転写、定着においても厚いトナー層を扱うことになる。この為トナー像にトナー散りも生じ、且つ画像表面に凹凸が生じトナー付着部と下地部との光沢差も大きくなり、高画質の画像を形成することは出来ていないのが現状である。
【０００５】
【発明が解決しようとする課題】
本発明は上記問題点を鑑み提案されたものであり、その目的とするところは、キャリアと共に二成分現像剤として使用されるトナー消費量が少なくても高濃度の画像が得られ、凹凸が少なく、且つトナーの散りが無い高画質の画像を得ることが出来る扁平トナーを用いた画像形成方法を提供することで、
扁平トナーの付着姿勢に注目し、像形成体や転写体へ扁平トナーの厚みが薄い形で付着し、現像・転写・定着が良好になされる画像形成方法を提供することにある。
【０００６】
また、扁平トナー外添剤を用いることで、扁平トナーの電荷分布状態を改善し、適度の流動性を与えることに注目し、適切な帯電性をもった外添剤を添加して、現像・転写・定着が良好になされる画像形成方法を提供することにある。
【０００７】
また、扁平トナーに外添剤を添加する際、トナー粒子の大きさと外添剤の粒径の関係を適切に選択することが極めて有効であることに注目し、適切な粒径の外添剤を添加して現像・転写・定着が良好になされる画像形成方法を提供することにある。
【０００８】
また、扁平トナーの形状や大きさに限度以上のバラツキがあるときは良好な画像が得られないことに注目し、扁平トナーの製作工程において適切な処理  選別を行った扁平トナーを用いて、高画質の画像が得られる画像形成方法を提供することにある。
【０００９】
また、扁平トナーの扁平形状にバラツキがあるときは良好な画像が得られないことに注目し、扁平度のバラツキを適度に限定することによって高画質の画像が得られる画像形成方法を提供することにある。
【００１０】
【課題を解決するための手段】
上記目的は、以下により達成される。
１．トナーとキャリアとから成る二成分現像剤を用いて、像形成体上の潜像の現像、及び形成されたトナー像の転写材上への転写、定着を行う画像形成方法において、前記トナー粒子は扁平形状であって、像形成体又は転写体上への付着がトナー扁平部によって付着し、また、トナーはキャリアに扁平部をもって付着し、キャリア表面積に対するトナー扁平部の断面積による表面被覆率が４０〜８０％の間にあって現像を行うことを特徴とする画像形成方法。
２．現像或いは転写におけるトナー粒子の付着と移動は、トナーの扁平姿勢を保って行われることを特徴とする１に記載の画像形成方法。
３．１に記載の画像形成方法において、
前記トナー粒子には外添剤が付着した状態で現像を行い、外添剤が付着したトナー粒子の帯電量Ｑ′（μＣ／ｇ）は、外添剤を有しないトナー粒子の帯電量Ｑ（μＣ／ｇ）に対し
｜Ｑ′｜＞｜Ｑ｜
の関係にあり、トナー粒子は扁平部をもって付着することを特徴とする画像形成方法。
４．前記の帯電量Ｑ′（μＣ／ｇ）とＱ（μＣ／ｇ）の間では
｜Ｑ′｜／｜Ｑ｜＝１．１〜１．５
の関係にあることを特徴とする３に記載の画像形成方法。
５．前記トナー粒子に付着する外添剤の付着量は表面被覆率が５０〜１００％の間にあって現像を行うことを特徴とする３又は４に記載の画像形成方法。
６．１に記載の画像形成方法において、
前記トナー粒子には外添剤が付着した状態でトナー粒子の扁平部分が像形成体に付着する現像を行い、扁平部の径をｒ、厚さをｄとするトナー粒子に対して、外添剤の数平均一次粒径ｐは、
ｐ／ｒ＝１０-1〜５×１０-3
の関係にあることを特徴とする画像形成方法。
７．外添剤の粒径ｐとトナー粒子の厚さｄとの間では
ｐ／ｄ＝３×１０-1〜３×１０-2
の関係にあることを特徴とする６に記載の画像形成方法。
８．トナー粒子表面に付着する外添剤は、０．１〜５．０質量％の添加量であることを特徴とする６又は７に記載の画像形成方法。
９．外添剤には上記数平均一次粒径の外添剤と共に更に数平均一次粒径の小さな外添剤を併せ用いることを特徴とする６〜８の何れか１項に記載の画像形成方法。
１０．１に記載の画像形成方法において、
前記トナーは球状の重合トナーを扁平化処理によって調整した扁平トナーで、前記扁平トナーに用いられる粒径ｄ0の球形重合トナーの粒度分布は、粒度分布の平均ｄ0（Ｍ）に対して
１／２＜ｄ0／ｄ0（Ｍ）＜２
の領域に８０％以上存在することを特徴とする画像形成方法。
１１．前記球形重合トナーの粒度分布は、
１／４＜ｄ0／ｄ0（Ｍ）＜４
の領域に９５％以上存在することを特徴とする１０に記載の画像形成方法。
１２．１に記載の画像形成方法において、
前記扁平トナーの厚さｄと扁平部の径ｒとの比（扁平度）の分布は、扁平度の平均（ｄ／ｒ）（Ｍ）に対して
１／２＜（ｄ／ｒ）／（ｄ／ｒ）（Ｍ）＜２
の領域に８０％以上存在することを特徴とする画像形成方法。
１３．前記扁平トナーの扁平度の分布は
１／４＜（ｄ／ｒ）／（ｄ／ｒ）（Ｍ）＜４
の領域に９５％以上存在することを特徴とする１２に記載の画像形成方法。
【００１５】
【発明の実施の形態】
（１）  本発明に用いられるトナーは、球形樹脂を押し潰すようにして形成された扁平トナーであって、図１に扁平トナーの模式図を示している。図１においてｒ1は扁平トナーの長辺、ｒ2は短辺、ｄは厚さを示している。（ｒ1＋ｒ2）／２をもって扁平部の径ｒと称し、ｄ／ｒをもって扁平度と称する。
【００１６】
本発明に用いられる扁平トナーの体積平均粒径は３〜１０μｍが好ましく、より好ましくは４〜９μｍである。
【００１７】
扁平トナーは、特定の形状を有することが好ましい。即ち、扁平トナーの平均長さの長辺（ｒ1）と短辺（ｒ2）が５〜２０μｍ、平均厚さ（ｄ）が１〜５μｍであることが好ましい。平均長さの短辺と長辺比（ｒ2／ｒ1）は０．６〜１．０が好ましく、０．８〜１．０がより好ましい。トナーの平均厚さと平均短辺長さ比（ｄ／ｒ2）は０．１〜０．５であることが好ましく、０．２〜０．４であることがさらに好ましい。
【００１８】
扁平トナーの平均長さ（ｒ1，ｒ2）が５μｍ未満であると塵肺等の疾病を患うおそれがあり、安全衛生上好ましくなく、２０μｍを越えると現像性が低下し、忠実な現像が出来なくなり解像力が低下し好ましくない。
【００１９】
扁平トナーの平均厚さ（ｄ）が１μｍ未満であると扁平トナーが現像時に破砕され、超微粉が発生し、トナー散りやカブリの発生原因となり好ましくなく、５μｍを越えると現像時にトナーが層状に現像されにくく、トナー層が厚くなりトナー消費量が多くなって好ましくない。
【００２０】
扁平トナーの平均厚さと平均短辺長さ比（ｄ／ｒ2）が０．２以下、特に０．１未満であると扁平トナーが現像時に破砕され、超微粉が発生し、トナー散りやカブリの発生原因となり好ましくなく、０．４以上、特に０．５を越えるとトナーの扁平部が像形成体に向けて付着しにくくなりトナー層が層状に現像されにくく、トナー層が厚くなりトナー消費量が多くなり好ましくない。又、転写、定着工程でもトナー散りやトナーの広がりも多くなり好ましくない。
【００２１】
（２）  上記説明した扁平トナーは後に説明するキャリアとの間での摩擦帯電によって帯電がなされて、扁平部分が帯電されているので、図２（ａ）に示す如く像形成体や中間転写体等のトナー支持体に対して、扁平トナーはクーロン力によってその端部を寝かせて扁平部が付着した状態で横方向に並ぶ。トナー間では横方向の反発力は弱いので、トナー支持体に対して並んでも安定した付着状態となる。
【００２２】
扁平トナーは像形成体に対して付着状態では縦方向には反発力が強いので、現像に際してはトナーは重なり難く、薄いトナー層が形成される。現像によって形成されたトナー像は、転写時にも定着時にもトナー散りやトナー画像の広がりは生じない。図２（ｂ）は接触現像時における扁平トナーの姿勢を示したもので、キャリアに扁平部が付着した状態で現像領域に移動して来た扁平トナーは、扁平部を感光体（像形成体）に摺擦するようにして潜像部分に扁平姿勢を保ったまま移動する。扁平トナーの移動（現像）はＤＣバイアスが印加された電界の下で行われるが、扁平トナーを用いての接触現像にあっては、ＡＣバイアスを重畳して印加することは、現像を助けることとなって特に有効である。
【００２３】
図２（ｃ）は非接触現像時における扁平トナーの姿勢を示したもので、ＤＣにＡＣ成分を重畳したバイアス電圧下において、キャリアに扁平部が付着した状態で現像領域に移動して来た扁平トナーは、印加された現像バイアスによってキャリアから離れ、感光体の潜像部分に向けて飛翔する。飛翔時には扁平トナーは空気抵抗によって縦方向の姿勢をとって飛翔するが、感光体上に付着するとＡＣバイアス下で振動して扁平部が感光体に付着する安定化した扁平姿勢を保って現像が行われる。
【００２４】
図２（ｄ）は転写時における扁平トナーの姿勢を示したもので、感光体上に形成されたトナー像（層）は平坦で付着トナーの横方向の反発力が弱いので、扁平姿勢を保って忠実に転写が行われる。なお、感光体上に付着したトナーは扁平面で付着しているので、電気的な付着力も大きくトナー層の厚みも低いので、転写領域前での転写は行われ難く、転写領域でのみ転写が行われるのでトナーの乱れも生じない。
【００２５】
扁平トナーを用いて現像を行うと、感光体上のトナーは重なり難く、薄いトナー層を形成する。その結果、扁平トナーの消費量は球形トナーを用いたときと較べて少ない消費量で同じ濃度の画像が得られる。図３はトナー付着量と画像濃度との関係を示すグラフである。例えば平均粒径７μｍの球形トナーを用いるときは０．８ｍｇ／ｃｍ2程度のトナー付着量で画像濃度は略飽和値となる。これに対して扁平度（ｄ／ｒ）が０．２〜０．５で、扁平部の径（ｒ）が４〜１０μｍの扁平トナーでは０．２〜０．５ｍｇ／ｃｍ2で画像濃度は飽和値となる。扁平トナーの平均形状が扁平部の径（ｒ）が７μｍ、厚さ（ｄ）が３μｍのトナーを用いたときは０．４ｍｇ／ｃｍ2で略１層のトナー層が形成されて画像濃度は飽和値となる。用いる扁平トナーの扁平度が小さくなるに従って飽和値の画像濃度を得るに必要とするトナー付着量は減少して来る。なお、扁平トナーを用いての現像では、感光体上に形成されるトナー層は１〜１．５層で充分で、厚いとトナー間での反発が生じ画質の低下が認められる。
【００２６】
（３）  上記に説明した扁平トナーについて、具体的に扁平トナー（扁平粒子）の作り方について説明する。
【００２７】
本発明に用いられる扁平トナーは、懸濁重合法や、乳化重合法で作製した数平均１次粒子径１０〜５００ｎｍの樹脂粒子を塩析／融着させて２次粒子を作製し、その後有機溶媒、凝集剤及び重合触媒等を添加して重合を行い、重合率が８０％まで進んだ溶液内の球形化された２次粒子（球形トナー）を、溶液とともに加熱された状態で加圧された隘路を循環させて粒子形状を扁平にし、さらに重合触媒を添加し重合を完了させることにより製造することが出来る。
【００２８】
塩析／融着とは、重合工程によって生成された樹脂微粒子を凝集剤により塩析させ、余分な分散剤、界面活性剤等を除却すると同時に加熱融着により樹脂粒子の大きさを調整することを云う。
【００２９】
扁平化処理は、重合が１００％完了してから行っても良いが、重合が８０％まで進んだ状態で、球形化が行われ後に、扁平化処理を行った方が形状が均一になり好ましい。
【００３０】
数平均１次粒子は、光散乱電機泳動粒径測定装置「ＥＬＳ−８００」（大塚電子工業株式会社製）で測定することが出来る。
【００３１】
体積平均粒径はコールターカウンターＴＡ−２型或いはコールターマルチサイザー（コールター株式会社製）で測定することが出来る。
【００３２】
塩析／融着は、樹脂粒子にトナーの構成に必要な離型剤や着色剤等の分散液と混合する方法や、単量体中に離型剤や着色剤等のトナー構成成分を分散した上で乳化重合する方法等で作製した数平均１次粒子径１０〜５００ｎｍの樹脂粒子を塩析／融着させて行うことが出来る。
【００３３】
即ち、重合性単量体中に着色剤や必要に応じて離型剤、荷電制御剤、さらに重合開始剤等の各種構成材料を添加し、ホモジナイザー、サンドミル、サンドグラインダー、超音波分散機等で重合性単量体に各種構成材料を溶解あるいは分散させる。この各種構成材料が溶解あるいは分散された液を分散安定剤を含有した水系媒体中でホモミキサーやホモジナイザー等を使用しトナーとしての所望の大きさの油滴に分散させる。その後、撹拌翼の有る撹拌機構付きの反応装置へ移し、加熱することで重合反応を８０％まで進行させて、球形粒子（球形トナー）とさせる。その後加熱された状態で加圧された隘路を循環させ形状を扁平にし、さらに重合触媒を添加し重合を進め、重合を完了させる。重合完了後、分散安定剤を除去し、濾過、洗浄し、さらに乾燥することで本発明の画像形成装置に用いられる扁平トナーを作製することが出来る。
【００３４】
バインダーとしての樹脂を構成する重合性単量体として使用されるものとしては、例えばスチレン、ｏ−メチルスチレン、ｍ−メチルスチレン、ｐ−メチルスチレン、α−メチルスチレン、ｐ−クロロスチレン、３，４−ジクロロスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン等のスチレン、スチレン誘導体、メタクリル酸メチル、メタクリル酸エチル、メタクリル酸ｎ−ブチル、メタクリル酸イソプロピル、メタクリル酸イソブチル、メタクリル酸ｔ−ブチル、メタクリル酸ｎ−オクチル、メタクリル酸２−エチルヘキシル、メタクリル酸ステアリル、メタクリル酸ラウリル、メタクリル酸フェニル、メタクリル酸ジエチルアミノエチル、メタクリル酸ジメチルアミノエチル等のメタクリル酸エステル誘導体、アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル、アクリル酸ステアリル、アクリル酸ラウリル、アクリル酸フェニル等の、アクリル酸エステル誘導体、エチレン、プロピレン、イソブチレン等のオレフィン類、塩化ビニル、塩化ビニリデン、臭化ビニル、フッ化ビニル、フッ化ビニリデン等のハロゲン系ビニル類、プロピオン酸ビニル、酢酸ビニル、ベンゾエ酸ビニル等のビニルエステル類、ビニルメチルエーテル、ビニルエチルエーテル等のビニルエーテル類、ビニルメチルケトン、ビニルエチルケトン、ビニルヘキシルケトン等のビニルケトン類、Ｎ−ビニルカルバゾール、Ｎ−ビニルインドール、Ｎ−ビニルピロリドン等のＮ−ビニル化合物、ビニルナフタレン、ビニルピリジン等のビニル化合物類、アクリロニトリル、メタクリロニトリル、アクリルアミド等のアクリル酸あるいはメタクリル酸誘導体等が挙げられる。これらの中でビニル系単量体は単独あるいは組み合わせて使用することが出来る。
【００３５】
また、樹脂を構成する重合性単量体としてイオン性解離基を有するものを組み合わせて用いることがさらに好ましい。例えば、カルボキシル基、スルフォン酸基、リン酸基等の置換基を単量体の構成基として有するもので、具体的には、アクリル酸、メタクリル酸、マレイン酸、イタコン酸、ケイ皮酸、フマール酸、マレイン酸モノアルキルエステル、イタコン酸モノアルキルエステル、スチレンスルフォン酸、アリルスルフォコハク酸、２−アクリルアミド−２−メチルプロパンスルフォン酸、アシッドホスホオキシエチルメタクリレート、３−クロロ−２−アシッドホスホオキシプロピルメタクリレート等が挙げられる。
【００３６】
さらに、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレート等の多官能性ビニル類を使用して架橋構造の樹脂とすることも出来る。
【００３７】
これらの重合性単量体はラジカル重合開始剤を用いて重合することが出来る。この場合、懸濁重合法では油溶性重合開始剤を用いることが出来る。この油溶性重合開始剤としては、２，２′−アゾビス−（２，４−ジメチルバレロニトリル）、２，２′−アゾビスイソブチロニトリル、１，１′−アゾビス（シクロヘキサン−１−カルボニトリル）、２，２′−アゾビス−４−メトキシ−２，４−ジメチルバレロニトリル、アゾビスイソブチロニトリル等のアゾ系またはジアゾ系重合開始剤、ベンゾイルパーオキサイド、メチルエチルケトンペルオキサイド、ジイソプロピルペルオキシカーボネート、クメンヒドロペルオキサイド、ｔ−ブチルヒドロペルオキサイド、ジ−ｔ−ブチルペルオキサイド、ジクミルペルオキサイド、２，４−ジクロロベンゾイルペルオキサイド、ラウロイルペルオキサイド、２，２−ビス−（４，４−ｔ−ブチルペルオキシシクロヘキシル）プロパン、トリス−（ｔ−ブチルペルオキシ）トリアジン等の過酸化物系重合開始剤や過酸化物を側鎖に有する高分子開始剤等を挙げることが出来る。
【００３８】
また、乳化重合法を用いる場合には水溶性ラジカル重合開始剤を使用することが出来る。水溶性重合開始剤としては、過硫酸カリウム、過硫酸アンモニウム等の過硫酸塩、アゾビスアミノジプロパン酢酸塩、アゾビスシアノ吉草酸およびその塩、過酸化水素等を挙げることが出来る。
【００３９】
分散安定剤としては、リン酸三カルシウム、リン酸マグネシウム、リン酸亜鉛、リン酸アルミニウム、炭酸カルシウム、炭酸マグネシウム、水酸化カルシウム、水酸化マグネシウム、水酸化アルミニウム、メタケイ酸カルシウム、硫酸カルシウム、硫酸バリウム、ベントナイト、シリカ、アルミナ等を挙げることが出来る。さらに、ポリビニルアルコール、ゼラチン、メチルセルロース、ドデシルベンゼンスルフォン酸ナトリウム、エチレンオキサイド付加物、高級アルコール硫酸ナトリウム等の界面活性剤として一般的に使用されているものを分散安定剤として使用することが出来る。
【００４０】
本発明において優れた樹脂としては、ガラス転移点が２０〜９０℃のものが好ましく、軟化点が８０〜２２０℃のものが好ましい。ガラス転移点は示差熱量分析方法で測定されるものであり、軟化点は高化式フローテスターで測定することが出来る。さらに、これら樹脂としてはゲルパーミエーションクロマトグラフィーにより測定される分子量が数平均分子量（Ｍｎ）で１０００〜１０００００、重量平均分子量（Ｍｗ）で２０００〜１００００００のものが好ましい。さらに、分子量分布として、Ｍｗ／Ｍｎが１．５〜１００、特に１．８〜７０のものが好ましい。
【００４１】
本発明に用いられる扁平トナーは少なくとも樹脂と着色剤を含有するものであるが、必要に応じて定着性改良剤である離型剤や荷電制御剤等を含有することも出来る。本発明に用いられる扁平トナーに使用する着色剤としてはカーボンブラック、染料、顔料等を任意に使用することが出来る。
【００４２】
カーボンブラックとしてはチャンネルブラック、ファーネスブラック、アセチレンブラック、サーマルブラック、ランプブラック等を用いることが出来る。
【００４３】
染料としてはＣ．Ｉ．ソルベントレッド１、同４９、同５２、同５８、同６３、同１１１、同１２２、Ｃ．Ｉ．ソルベントイエロー１９、同４４、同７７、同７９、同８１、同８２、同９３、同９８、同１０３、同１０４、同１１２、同１６２、Ｃ．Ｉ．ソルベントブルー２５、同３６、同６０、同７０、同９３、同９５等を用いることができ、またこれらの混合物も用いることが出来る。顔料としてはＣ．Ｉ．ピグメントレッド５、同４８：１、同５３：１、同５７：１、同１２２、同１３９、同１４４、同１４９、同１６６、同１７７、同１７８、同２２２、Ｃ．Ｉ．ピグメントオレンジ３１、同４３、Ｃ．Ｉ．ピグメントイエロー１４、同１７、同９３、同９４、同１３８、Ｃ．Ｉ．ピグメントグリーン７、Ｃ．Ｉ．ピグメントブルー１５：３、同６０等を用いることが出来る。上記染料及び顔料は単独或いは混合して用いることが出来る。着色剤の数平均１次粒子径は種類により多様であるが、概ね１０〜２００ｎｍが好ましい。
【００４４】
着色剤の添加方法としては、単量体を重合させる段階で着色剤を添加し、重合して着色粒子とする方法等を用いることが出来る。尚、着色剤は重合体を作製する段階で添加する場合はラジカル重合性を阻害しない様に表面をカップリング剤等で処理して使用することが好ましい。
【００４５】
さらに、定着性改良剤としての低分子量ポリプロピレン（数平均分子量＝１５００〜９０００）や低分子量ポリエチレン等を添加してもよい。
【００４６】
荷電制御剤も同様に種々の公知のもので、且つ水中に分散することが出来るものを使用することが出来る。具体的には、ニグロシン系染料、ナフテン酸または高級脂肪酸の金属塩、アルコキシル化アミン、第４級アンモニウム塩化合物、アゾ系金属錯体、サリチル酸金属塩あるいはその金属錯体等が挙げられる。
【００４７】
尚、これら荷電制御剤や定着性改良剤の粒子は、分散した状態で数平均１次粒子径が１０〜５００ｎｍ程度とすることが好ましい。
【００４８】
塩析／融着されて球形化された２次粒子の扁平化は、アニュラー型連続湿式撹拌ミル、ピストン型高圧式均質化機或いはインラインスクリュウポンプ等で行うことが出来る。
【００４９】
その一例を図４に示すように、アニュラー型連続湿式撹拌ミルは、既に知られているミルの１種で、断面三角形のアニュラー型（環状）のステータ５０１内に、略同じ形状を有するロータ５０２が回転し、このステータ５０１とロータ５０２との間の幅の狭い間隙、即ち、破砕帯５０３にメディア５０４が充填されていて、ミルに供給される８０％まで重合が進んだ溶液内の球形化された２次粒子（球形トナー）に、２次粒子を含んだ溶液と共に、機械的な衝撃力を与え、２次粒子の形状を扁平化する。前記溶液は、ミルの供給口５０５からポンプにてＷ型断面の前記破砕帯５０３を一巡し、上部のキャップセパレータ５０６でメディア５０４と分離されて、出口５０７から排出される。又、扁平化処理中の溶液の温度制御は、温水５０８をステータとロータに循環させることにより行われる。メディア５０４は、遠心力によって、Ｗ型の粉砕帯を順次に移動し、再度、入り口まで戻って循環する。粒子への圧力は加圧された隘路を循環することで粉砕帯の壁或いはメディアにより加えられる。メディアとしては、通常、０．５〜３ｍｍ径のジルコン、ガラス及びスチール等が用いられる。
【００５０】
かかるアニュラー型連続式湿式撹拌ミルを用いる２次粒子を含む溶液の扁平化処理温度は、２次粒子の樹脂のガラス転移点（Ｔｇ）の−５℃〜＋４０℃が好ましく、０℃〜＋３０℃がより好ましく、さらに好ましくは＋１０〜＋３０℃である。ガラス転移点よりも５℃以上低い温度で処理すると、重合体粒子の破砕が起こり、目的とする扁平化を行うことが困難となり好ましくない。他方、ガラス転移点よりも４０℃以上高い温度で処理すると、２次粒子が相互に融着し、凝集塊を生じるとともに、扁平化された重合体粒子がその表面張力によって、再び、真球化するので、扁平化を効率よく行えず好ましくない。
【００５１】
（４）  上記製法によって作製した扁平トナーは、大きさや形状において可なりのバラツキが認められる。可なりバラツキのある扁平トナーを用いたときは、扁平トナーの有する優れた効果を発揮することができない。しかし、可なりの大きさや形状においてバラツキのある扁平トナーから許容されるバラツキ範囲の扁平トナーを選別することは容易ではない。本発明者らは、上記説明した製法において、球形の２次粒子対して選別を行い、或いは粒径の分布状態を作製過程において規制しておくことが極めて有効であることを認めた。球形をした２次粒子が大粒径の場合には後の処理によって扁平化は容易になされるが、小粒径の場合には扁平化することは困難で、２次粒子が粒径にバラツキがある場合には、大きさのみならず形状にもバラツキのある扁平トナーが作製されることとなる。
【００５２】
本発明は母材として球形樹脂を用い、分布を狭くすることによって、扁平化しても扁平化処理されたトナーの分布が広がらないようにするもので、実験結果によれば、扁平トナーに用いられる粒径ｄ0の球形をした母材となる２次粒子の粒度分布は、粒度分布の平均ｄ0（Ｍ）に対して
１／２＜ｄ0／ｄ0（Ｍ）＜２
の領域に８０％以上存在することが必要であることを確認した。更に、球形をした２次粒子の粒度分布は
１／４＜ｄ0／ｄ0（Ｍ）＜４
の領域に９５％以上存在することが好ましい条件であることを見出した。
【００５３】
なお、粒度分布の平均ｄ0（Ｍ）としては、粒径が４〜９μｍ程度の平均値の球形樹脂である。
【００５４】
扁平トナーの優れた効果を発揮するには、形状のバラツキも無視できない。扁平トナーについて形状上での最も重要なファクターは、厚さｄと扁平部の径ｒとの比の扁平度（ｄ／ｒ）である。扁平トナーの扁平度（ｄ／ｒ）の分布は、扁平度の平均（ｄ／ｒ）（Ｍ）に対して
１／２＜（ｄ／ｒ）／（ｄ／ｒ）（Ｍ）＜２
の領域に８０％以上存在することが必要で、
１／４＜（ｄ／ｒ）／（ｄ／ｒ）（Ｍ）＜４
の領域に９５％以上存在することが好ましい。
【００５５】
かかる条件を満たした扁平トナーはその有する優れた特性が発揮されることとなる。
【００５６】
（５）  トナー表面に外添剤を存在させることは、適度流動性を高め、転写性を向上させる等の理由から広く用いられている。扁平トナーについても同様であるが扁平トナーについてはトナーの電荷分布を均一化する効果を無視することができないで、外添剤を添加することが必要となる。
【００５７】
外添剤の構成は大粒径と小粒径の外添剤の混合状態として用いられる。
大粒径の外添剤の構成は、数平均１次粒子径で５０〜１５００ｎｍのものである。ここで数平均１次粒子径は、透過型電子顕微鏡観察によって２０００倍に拡大し、１００個の粒子を観察し、画像解析によって測定されたものを示す。
【００５８】
１次粒子径は５０〜１５００ｎｍ、好ましくは６０〜１０００ｎｍであって、粒子径がこの範囲よりも小さいとスペーサー効果が低下し、大きいと脱離が発生する。１次粒子表面は疎水化されていることが好ましい。
【００５９】
材料としては無機微粒子、有機微粒子、複合微粒子のいずれでもよい。好ましいものとしては無機微粒子ではチタニア、ジルコニア、アルミナ、シリカである。有機微粒子ではスチレン−アクリル樹脂粒子であり、複合微粒子ではスチレン−アクリル樹脂粒子にチタニアを複合化したものが好ましい。
【００６０】
小粒径の外添剤の構成は、数平均１次粒子径で５〜４０ｎｍのものである。ここで数平均１次粒子径は、透過型電子顕微鏡観察によって２０００倍に拡大し、１００個の粒子を観察し、画像解析によって測定されたものを示す。
【００６１】
１次粒子径は５〜４０ｎｍ、好ましくは５〜３０ｎｍであって、粒子径がこの範囲よりも小さいと機械的ストレスでの埋没が促進され、流動性付与効果の持続性が低下し、大きいと流動性付与効果が低減する。表面は疎水化されていることが好ましい。
【００６２】
材料としては無機微粒子を挙げることができる。好ましいものとしては無機微粒子ではチタニア、ジルコニア、アルミナ、シリカである。扁平トナーに対する外添剤の添加量は下記の条件を満たしていることが好ましい。
大粒径の外添剤：トナーに０．１〜５．０質量％
小粒径の外添剤：トナーに０．１〜５．０質量％
添加量の比率  ：大粒径：小粒径＝１：０．３〜１．５（質量比）
被覆率        ：表面被覆率が４０％〜１００％、好ましくは５０〜１００％
被覆率は外添剤を処理したトナーをエポキシ樹脂に包埋し、０．２μｍの厚みにスライスした切片を透過型電子顕微鏡により観察し、トナー粒子表面に付着している外添剤の存在状態を評価し、外添剤が付着している部分のトナー周囲長を測定し、全周囲長との比率で算出したものである。
【００６３】
被覆率が低い場合には外添剤の効果を発揮することができず、また、被覆率が１００％を越える場合には外添剤の遊離が発生し、感光体などへの傷を引き起こす原因となる。
【００６４】
なお、１００％以上の被覆率とは、トナーの周囲長全域にわたって外添剤が付着した状態であり、且つ、外添剤層が多層に存在している状態をいう。
【００６５】
（６）  外添剤に用いる素材について詳しく説明する。
▲１▼無機微粒子
無機微粒子を構成する材料としては、各種無機酸化物、窒化物、ホウ化物等が好適に使用される。例えば、シリカ、アルミナ、チタニア、ジルコニア、チタン酸バリウム、チタン酸アルミニウム、チタン酸ストロンチウム、チタン酸マグネシウム、酸化亜鉛、酸化クロム、酸化セリウム、酸化アンチモン、酸化タングステン、酸化スズ、酸化テルル、酸化マンガン、酸化ホウ素、炭化ケイ素、炭化ホウ素、炭化チタン、窒化ケイ素、窒化チタン、窒化ホウ素等があげられる。さらに、上記無機微粒子に疎水化処理をおこなったものでもよい。疎水化処理を行う場合には、各種チタンカップリング剤、シランカップリング剤等のいわゆるカップリング剤やシリコーンオイル等によって疎水化処理することが好ましく、さらに、ステアリン酸アルミニウム、ステアリン酸亜鉛、ステアリン酸カルシウム等の高級脂肪酸金属塩によって疎水化処理することも好ましく使用される。
【００６６】
▲２▼疎水化処理を行うための処理剤の例
チタンカップリング剤として、テトラブチルチタネート、テトラオクチルチタネート、イソプロピルトリイソステアロイルチタネート、イソプロピルトリデシルベンゼンスルフォニルチタネート、ビス（ジオクチルパイロフォスフェート）オキシアセテートチタネートなどがある。さらに、シランカップリング剤としては、γ−（２−アミノエチル）アミノプロピルトリメトキシシラン、γ−（２−アミノエチル）アミノプロピルメチルジメトキシシラン、γ−メタクリロキシプロピルトリメトキシシラン、Ｎ−β−（Ｎ−ビニルベンジルアミノエチル）γ−アミノプロピルトリメトキシシラン塩酸塩、ヘキサメチルジシラザン、メチルトリメトキシシラン、ブチルトリメトキシシラン、イソブチルトリメトキシシラン、ヘキシルトリメトキシシラン、オクチルトリメトキシシラン、デシルトリメトキシシラン、ドデシルトリメトキシシラン、フェニルトリメトキシシラン、ｏ−メチルフェニルトリメトキシシラン、ｐ−メチルフェニルトリメトキシシランなどがあげられる。
【００６７】
脂肪酸及びその金属塩としては、ウンデシル酸、ラウリン酸、トリデシル酸、ドデシル酸、ミリスチン酸、パルミチン酸、ペンタデシル酸、ステアリン酸、ヘプタデシル酸、アラキン酸、モンタン酸、オレイン酸、リノール酸、アラキドン酸などの長鎖脂肪酸があげられ、その金属塩としては亜鉛、鉄、マグネシウム、アルミニウム、カルシウム、ナトリウム、リチウムなどの金属との塩があげられる。
【００６８】
シリコーンオイルとしては、ジメチルシリコーンオイル、メチルフェニルシリコーンオイル、アミノ変性シリコーンオイルなどをあげることができる。
【００６９】
これら化合物は、無機微粒子に対して質量で１〜１０％添加し被覆することが良く、好ましくは、質量で３〜７％である。また、これらの材料を組み合わせて使用することもできる。
【００７０】
▲３▼有機微粒子
有機微粒子としては、スチレン樹脂粒子、スチレンアクリル樹脂粒子、ポリエステル樹脂粒子、ウレタン樹脂粒子等をあげることができる。
【００７１】
樹脂微粒子としては特にその組成が限定されるものでは無い。一般的にはビニル系の有機微粒子が好ましい。この理由としては乳化重合法や懸濁重合法等の製造方法によって容易に製造することが可能であるからである。具体的には、スチレン、α−メチルスチレン、ｐ−クロロスチレン、３，４−ジクロロスチレン、ｐ−フェニルスチレン、ｐ−エチルスチレン、２，４−ジメチルスチレン、ｐ−ｔ−ブチルスチレン等の様なスチレンあるいはスチレン誘導体、メタクリル酸メチル、メタクリル酸エチル、メタクリル酸ｎ−ブチル、メタクリル酸イソプロピル、メタクリル酸２−エチルヘキシル等のメタクリル酸エステル誘導体、アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル等のアクリル酸エステル誘導体、エチレン、プロピレン、イソブチレン等のオレフィン類、塩化ビニル、塩化ビニリデン、臭化ビニル、フッ化ビニル、フッ化ビニリデン等のハロゲン系ビニル類、プロピオン酸ビニル、酢酸ビニル等のビニルエステル類、ビニルメチルエーテル、ビニルエチルエーテル等のビニルエーテル類、ビニルメチルケトン、ビニルエチルケトン、ビニルヘキシルケトン等のビニルケトン類、Ｎ−ビニルカルバゾール、Ｎ−ビニルインドール、Ｎ−ビニルピロリドン等のＮ−ビニル化合物、ビニルナフタレン、ビニルピリジン等のビニル化合物類、アクリロニトリル、メタクリロニトリル、アクリルアミド、Ｎ−ブチルアクリルアミド、Ｎ，Ｎ−ジブチルアクリルアミド、メタクリルアミド、Ｎ−ブチルメタクリルアミド、Ｎ−オクタデシルアクリルアミド等のアクリル酸あるいはメタクリル酸誘導体がある。これらビニル系単量体も単独あるいは組み合わせて使用することができる。
【００７２】
樹脂微粒子の製造方法としては乳化重合法や懸濁重合法によって作製することができる。乳化重合法は、界面活性剤を含有する水中に上記単量体を添加し乳化させた後に重合する方法であり、界面活性剤としてはドデシルベンゼンスルフォン酸ナトリウム、ポリビニルアルコール、エチレンオキサイド付加物、高級アルコール硫酸ナトリウム等の界面活性剤として使用されている物ならば全て使用することができ、特に限定されない。さらに、反応性乳化剤の使用や、親水性単量体、例えば酢酸ビニルやアクリル酸メチル等の過硫酸塩系開始剤による重合や、水溶性単量体を共重合する方法や、水溶性樹脂やオリゴマーを使用する方法や、分解型乳化剤を使用する方法や、架橋型乳化剤を使用する方法等のいわゆる無乳化重合法も好適である。反応性乳化剤としてはアクリル酸アミドのスルフォン酸塩やマレイン酸誘導体の塩類等があげられる。無乳化重合法は残存乳化剤の影響が無く、有機微粒子を単体で使用する場合には好適である。
【００７３】
樹脂微粒子を合成するために必要な重合開始剤には、過酸化ベンゾイル、過酸化ラウリル等の過酸化物、アゾビスイソブチロニトリル、アゾビスイソバレロニトリル等のアゾ系の重合開始剤があげられる。これらの添加量は単量体に対して０．１〜２質量％が好ましい。この量よりも過小であると重合反応が不足し、単量体自体の残留の問題を発生する。さらに、過多であると重合開始剤の分解物が残留し帯電性に影響を与え、さらに重合反応が早すぎるために分子量が小さくなる問題を生じる。さらに、乳化重合法等では重合開始剤として過硫酸カリウム、チオ硫酸ナトリウム等を使用することができる。
【００７４】
以上説明した外添剤で、無機微粒子としては、シリカ、チタニア及びアルミナ等の無機酸化物粒子の使用が好ましく、さらに、これら無機微粒子はシランカップリング剤やチタンカップリング剤等によって疎水化処理されていることが好ましい。疎水化処理の程度としては特に限定されるものでは無いが、メタノールウェッタビリティーとして４０〜９５のものが好ましい。メタノールウェッタビリティーとは、メタノールに対する濡れ性を評価するものである。この方法は、内容量２００ｍｌのビーカー中に入れた蒸留水５０ｍｌに、測定対象の無機微粒子を０．２ｇ秤量し添加する。メタノールを先端が液体中に浸漬されているビュレットから、ゆっくり撹拌した状態で無機微粒子の全体が濡れるまでゆっくり滴下する。この無機微粒子を完全に濡らすために必要なメタノールの量をａ（ｍｌ）とした場合に、下記式により疎水化度が算出される。
【００７５】
疎水化度＝（ａ／（ａ＋５０））×１００
この外添剤の添加量としては、扁平トナー中に０．１〜５．０質量％が好ましく、より好ましくは０．５〜４．０質量％である。また、外添剤としては上記に記載した種々のものを組み合わせて使用してもよい。
【００７６】
（７）  外添剤を扁平トナーの表面に被覆率４０〜１００％で付着させるときは、トナー表面の電荷分布の不均一を防止して一様な電荷分布状態となり、感光体や転写体へのトナーの付着は、トナー端部とよりもトナー編平部とのクーロン力が強くなり、扁平部を付着させることとなる。ここで添加する外添剤の電位はトナーの電位と同電位であって、扁平トナーの帯電量Ｑ（μＣ／ｇ）に対して、外添剤が付着したときの帯電量Ｑ′（μＣ／ｇ）は｜Ｑ｜＜｜Ｑ′｜の関係にあることが必要である。｜Ｑ′｜が｜Ｑ｜より小さいと、扁平部には外添剤が多く付着しているので、扁平トナーは扁平部での付着が不安定となる。｜Ｑ｜＜｜Ｑ′｜の条件を満たしていると、扁平部での電荷量が多くなり安定して扁平部で付着するようになる。また、外添剤を添加することによって、流動性も上がるので、トナーの表面電荷分布は更に均一化する。
【００７７】
負に帯電するトナーに対しては同電位に帯電するシリカ等を材料とする添加剤が好ましい。外添剤はトナーの帯電特性に応じて材料が選択される。外添剤の選択と被覆率を１００％を越えない限度で高くすることによって、
｜Ｑ′｜／｜Ｑ｜＝１．１〜１．５
の間にあることが好ましい。
【００７８】
外添剤は大粒径と小粒径の外添剤を混合して用いられる。小粒径の外添剤は流動性、帯電性を高める上で必要であり、大粒径の外添剤は感光体と扁平トナーとの間にあってスペーサとしての役割を演じ、転写率やクリーニング性を向上させる効果を有している。扁平トナーは感光体との接触面が球形トナーや不定形トナーと較べて広く、転写率やクリーニング性においてやや劣っていたのが、大粒径の外添剤を用いることによって著しく改善される。図５には扁平トナーに大粒径の外添剤が付着した状態を模式的に示している。
【００７９】
本発明者らの検討によれば、扁平トナーの形状と大粒径外添剤の粒径との間には、大粒径外添剤がスペーサとして有効に作用するための条件が存在することを見出した。
【００８０】
扁平トナーの扁平部の径をｒ、厚さをｄとし、外添剤の粒径をｐとするとき、
ｐ／ｒ＝１０-1〜５×１０-3
の関係にあることを必要とし、
ｐ／ｄ＝３×１０-1〜３×１０-2
の関係にあることが好ましい条件である。
【００８１】
外添剤の粒径が上記の範囲から外れると、外添剤のスペーサとしての機能を充分に果たさないこととなる。上記に説明した扁平トナーはキャリアと共に二成分現像剤として用いられ、現像器内でのキャリアとの摩擦によって帯電し、扁平トナーはキャリアに付着した状態で現像領域に至り、現像が行われる。
【００８２】
（８）  二成分現像剤を構成するキャリアとしては、磁性粒子としては、鉄、フェライト、マグネタイト等の金属、それらの金属とアルミニウム、鉛等の金属との合金等の従来から公知の材料を用いることができる。特にフェライト粒子が好ましい。上記磁性粒子は、その個数平均粒径としては１５〜１００μｍ、より好ましくは２５〜６０μｍのものが良い。キャリアの個数平均粒径の測定は、代表的には湿式分散機を備えたレーザ回折式粒度分布測定装置「ヘロス（ＨＥＬＯＳ）」（シンパティック（ＳＹＭＰＡＴＥＣ）社製）により測定することができる。
【００８３】
キャリアは、さらに樹脂により被覆されているもの、あるいは樹脂中に磁性粒子を分散させたいわゆる樹脂分散型キャリアが好ましい。コーティング用の樹脂組成としては、特に限定は無いが、例えば、オレフィン系樹脂、スチレン系樹脂、スチレン／アクリル系樹脂、シリコーン系樹脂、エステル系樹脂あるいはフッ素含有重合体系樹脂等が用いられる。また、樹脂分散型キャリアを構成するための樹脂としては、特に限定されず公知のものを使用することができ、例えば、スチレンアクリル樹脂、ポリエステル樹脂、フッ素系樹脂、フェノール樹脂等を使用することができる。本発明に用いる磁性キャリアは形状が球形又は扁平形状していることが特に望ましい。
【００８４】
一般に磁性キャリア粒子は平均粒径が大きいと、現像スリーブ上に形成される磁気ブラシの穂の状態が粗くなるために、電界により振動を与えながら静電潜像を現像しても、トナー像にムラが現れ易く、穂におけるトナー濃度が低くなるので高濃度の現像が行われない等の問題点がある。この問題点を解消するには、磁性キャリア粒子の平均粒径を小さくすればよく、磁性キャリアの粒径は２０〜９０μｍであると上記問題点は発生しない。
【００８５】
粒径が２０μｍ以下であると、キャリアを十分に磁化させることが困難で、トナー粒子と共に感光体ドラム表面に付着するようになったり、飛散し易くなる。
【００８６】
また、粒径が９０μｍ以上になると、キャリアの比表面積が小さくなるため、トナーを十分に帯電することができない。また、被覆率が高くなるためトナー飛散も起こり易くなる。
【００８７】
キャリア粒子の抵抗率は１０8Ω・ｃｍ以上、特に１０12Ω・ｃｍ以上であるように磁性粒子を形成したものが好ましい。この抵抗率は、粒子を０．５０ｃｍ2の断面積を有する容器に入れてタッピングした後、詰められた粒子上に１ｋｇ／ｃｍ2の荷重を掛け、荷重と底面電極との間に１０００Ｖ／ｃｍの電界が生ずる電圧を印加したときの電流値を読み取ることが得られる値であり、この抵抗率が低いと、現像スリーブにバイアス電圧を印加した場合にキャリア粒子に電荷が注入されて像担持体面にキャリア粒子が付着し易くなったり、或いはバイアス電圧のブレークダウンが起こり易くなったりする。
【００８８】
キャリアの磁化の強さ（最大磁化）は、１０〜６０ｅｍｕ／ｇ、好ましくは１５〜４０ｅｍｕ／ｇである。この強さは現像スリーブ上の磁束密度にもよるが、現像スリーブの一般的な磁束密度の条件下においては、１０ｅｍｕ／ｇ未満では磁気的な束縛力が働かずキャリア飛散の原因となる。また、６０ｅｍｕ／ｇを超えるとキャリアの穂立ちが高くなり過ぎる非接触現像では、像担持体と非接触状態を保つことが困難になる。接触現像ではトナー像に掃き目が出易くなる。
【００８９】
また、トナー粒子は電界に追随して動作するために、トナー粒子の帯電量の絶対値は、二成分現像剤においては、特に１５〜４０μＣ／ｇにするのが現像性確保、カブリや飛散防止の観点から望ましい。特に粒径の小さい場合は高い帯電量が必要である。
【００９０】
一般に二成分現像剤では、一般のコーティングキャリア（密度５〜８ｇ／ｃｍ2）を使用した場合、現像剤中のトナー濃度は、２〜３０質量％、好ましくは２〜２０質量％であって、２質量％より小であると、現像に必要なトナー数が確保できなく、被覆率が低下するため帯電過剰、現像性低下を招く。また、３０質量％より大であると、被覆率が大となり、帯電不良、トナー飛散が起こり易くなる。
【００９１】
本発明の扁平トナーを用いるときは、キャリアに対する被覆率は４０〜８０％の間にあることが必要である。本発明者らの観察によれば、被覆率が８０％以下の場合には、摩擦帯電した扁平トナーは、図６（ａ）の投影図に示す如く、球形又は扁平形状をしたキャリア表面に扁平部をもって付着し、トナー同志は反発して僅かに離れて付着することとなる。また被覆率が４０％を下回ると、トナーの付着姿勢については同じであるが、帯電過剰、現像性低下となる。
【００９２】
キャリアに対して扁平部で付着した扁平トナーは、現像によって感光体上に扁平部が付着した姿勢で現像がなされる。
【００９３】
扁平トナーのキャリアに対する被覆率が８０％を越すと、トナーは図６（ｂ）の投影図に示す如く、端部で付着するトナーが存在するようになり、端部に電荷をもったトナーは現像によっても感光体には付着する現象も生じ、好ましくない。
【００９４】
（９）  扁平トナーと磁性キャリアとの二成分現像剤を用いて現像を行うときは、非接触現像においても接触現像においても球形トナーを用いたときと比較して優れた現像性を示すこととなる。
【００９５】
図７は像形成体である感光体ドラム１０に対向して位置した現像器１３の現像スリーブ１３１の断面構成を図示している。
【００９６】
現像剤搬送体である現像スリーブ１３１は、例えばステンレス材を用いた外形８ｍｍ〜６０ｍｍの非磁性の円筒状の部材からなり、感光体ドラム１０の周面に対し、現像スリーブ１３１の両端に設けられた不図示の突当コロにより所定の間隙ＤSDを保って感光体ドラム１０の回転に対し同方向又は逆方向に回転される。外径が８ｍｍ以下であると、画像形成に必要な磁極Ｎ１，Ｓ１，Ｎ２，Ｓ２，Ｎ３から成る少なくとも５極の磁極を有するマグネットロール１３２を形成することが不可能であり、また現像スリーブ１３１の外径が６０ｍｍを越えると、現像器１３が大型化する。特に、複数組の現像器１３を有するカラープリンタにおいては、現像装置の占める容積が大きくなり、感光体ドラム１０の外径が増大化したり、感光体ドラム１０の大型化により画像形成装置が大型化になってしまう。
【００９７】
現像スリーブ１３１周面は２〜１５μｍの粗面として、現像剤の搬送性をよくするような処理を行っている。
【００９８】
マグネットロール１３２は、現像スリーブ１３１に内包され、複数個の磁極Ｎ，Ｓ極を交互に配し、現像スリーブ１３１と同心に固定されていて、非磁性のスリーブ周面に磁力を作用させる。
【００９９】
現像剤スリーブ周面での磁力は、５００〜１２００ガウスの間にあることが現像剤を保持して磁気ブラシを形成するのに必要である。
【０１００】
層厚規制手段である層厚規制部材１３３は、マグネットロール１３２の磁極と対向し、現像スリーブ１３１と所定の間隙で配置される例えば棒状或いは板状の磁性ステンレス材よりなり、現像スリーブ１３１の周面上の二成分現像剤の層厚を規制し、層厚を規制された二成分現像剤は現像領域へと搬送される。
【０１０１】
感光体ドラム１０上の静電潜像は、現像スリーブ１３１との間の直流（ＤＣ）バイアスＥ１に交流（ＡＣ）バイアスＡＣ１が重畳される現像バイアス電圧の印加によって非接触又は接触現像法により非接触又は接触の状態で反転現像される。
【０１０２】
（非接触現像）
非接触現像においては、現像スリーブ１３１と感光体ドラム１０の間隙ＤSDは３００〜１，０００μｍの間に設定されていることが好ましい。この間隙が３００μｍよりも狭いと、均一に現像作用する非接触の現像層の形成が困難となり、また、十分なトナーを現像領域に供給することもできなくなって、安定した現像が行われなくなる。逆に間隙が１，０００μｍを超すようになると、対向電極効果が低下して十分な現像濃度が得られないようになる。そして、間隙を３００〜１，０００μｍの範囲にすると、適当な厚さの非接触の現像剤層を均一に形成できるようになる。そこで現像間隙ＤSDにおける現像剤層の厚みｈ（ＤSD）を０．５〜０．８ＤSDとなるよう層厚規制部において調整し、現像間隙と現像剤層の厚さを、非画像形成時振動電界を生じさせていない状態の下で、現像剤層が感光体ドラム１０の表面に接触せず、しかもできるだけ近接するような条件に設定することが行われる。それによって、トナー像に掃き目が生じたり、またカブリが生じたりすることが防止される。現像スリーブ１３１が感光体ドラム１０に近接する位置は、トナー等の飛散防止上、重力の方向が現像スリーブ１３１に向かうようになる位置が好ましいが、勿論、それに限られるものではない。また、現像スリーブ１３１は外径が１０〜３０ｍｍの間が好ましく用いられ、現像スリーブ１３１の回転速度及び回転方向は、トナー等の飛散防止の点からは、遅い速度で方向が感光体ドラム１０の移動方向と反対が好ましいが、現像剤層による画像再現性の点からは感光体ドラム１０の移動方向と同方向で、現像スリーブ１３１の周速を感光体ドラム１０の周速の１．５〜３．５倍以内に抑え、方向は同方向とすることが好ましい。しかし、これに限定されるものではない。
【０１０３】
振動電界下での現像は、現像スリーブ１３１にバイアス電源によって、カブリ防止及び現像濃度に関係する直流電圧と、現像濃度及び階調性に関係する交流電圧との重畳した電圧を印加して、それにより現像領域に振動電界を生ぜしめて行うのが好ましい。直流成分としては反転現像にあっては、バイアス電圧の直流成分は感光体ドラム１０の非画像背景部における受容電位に対して１００〜２００Ｖ程度低い電圧に設定される。交流成分としては周波数が１〜１０ｋＨｚ、振幅Ｖppが１５００〜３０００Ｖの範囲が用いられる。以上の交流成分は正弦波に限らず、矩形波や三角波等であってもよい。交流成分の周波数は、低過ぎると、振動のピッチが現像に表れるようになり、反対に高過ぎても、電界の振動に現像剤が追従できなくなって、現像濃度が低下し、鮮明な高画質画像の再現ができなくなると言う傾向が現れる。交流成分の振幅Ｖppは、周波数も関係するが、大なる程現像剤層を振動させるようになって、トナーはキャリアから離脱して飛翔し現像が行われてそれだけ効果を増すことになるが、その反面、大なる程カブリを生じ易くし、落雷現象のような絶縁破壊も起こり易くする。しかし、現像剤のキャリア粒子が樹脂等によって絶縁化されていると、絶縁破壊は防止されるし、カブリの発生も直流成分で防止できる。なお、現像スリーブ１３１の表面は樹脂や酸化被膜によって絶縁乃至半絶縁被覆するようにしてもよいし、表面に凹凸を設けて現像剤層の搬送性を向上するようにすることもなされる。以上の現像剤及び現像条件を用いることによって、安定してカブリがなく、解像力に優れた鮮明な非接触現像が行われる。
【０１０４】
特に非接触現像にあっては、扁平トナーがキャリアに対して被覆率４０〜８０％の間に付着しているよう管理されているときは、現像領域にあって図６（ａ）に示すように、キャリアに対して扁平部をもって静電的に付着していた扁平トナーは、印加された現像バイアスによってキャリアから離間し、図２（ｃ）に示すように扁平トナーは飛翔して感光体ドラム１０の潜像位置に扁平部をもって付着し薄層でしかも画像濃度の得られる現像が行われる。かかる現像において、先に説明した外添剤を用いることが、現像性を高め、良質で薄層のトナー画像を形成するうえで極めて有効である。
【０１０５】
（接触現像）
接触現像においては、現像間隙ＤSDは０．５〜２．０ｍｍの間に設定されていることが好ましい。現像領域において磁気ブラシの先端部が適当な範囲で感光体ドラム１０周面に摺接するためには、層厚規制部で規制する現像剤層の厚みｈ（ＤSD）は１．５〜３．０ＤSDに調整する。それによって、トナー像に掃き目が生じたり、またカブリが生じたりすることが防止される。現像スリーブ１３１が感光体ドラム１０に近接する位置は、トナー等の飛散防止上、重力の方向が現像スリーブ１３１に向かうようになる位置が好ましいが、勿論、それに限られるものではない。また、現像スリーブ１３１は外径が１０〜３０ｍｍの間が好ましく用いられ、現像スリーブ１３１の回転速度及び回転方向は、トナー等の飛散防止の点からは、遅い速度で方向が感光体ドラム１０の移動方向と反対が好ましいが、現像剤層による画像再現性の点からは感光体ドラム１０の移動方向と同方向で、現像スリーブ１３１の周速を感光体ドラム１０の周速の１．５〜３．５倍以内に抑え、方向は同方向とすることが好ましい。しかし、これに限定されるものではない。接触現像にあっても、現像スリーブ１３１には直流電圧に交流電圧を重畳して印加することがなされる。直流成分としては反転現像にあっては、バイアス電圧の直流成分は感光体ドラム１０の非画像背景部における受容電位に対し１００〜２００Ｖ程度低い電圧に設定される。交流成分としては周波数が１〜５ｋＨｚ、振幅Ｖppが５００〜１５００Ｖの範囲が用いられる。接触現像においても交流バイアスを印加することによって、振動電界効果によって現像効率が上がり、現像剤の凝集をほぐして、磁気ブラシを柔らかくすることによって画像上でのブラシの刷毛目をなくす効果が生じる。更にまた、潜像面に摺接する磁気ブラシによって、ベタ画像エッジ部へのトナーの掃き寄せ画像の発生を防止し、高濃度でムラのない良好な現像が行われることとなる。
【０１０６】
接触現像においても、扁平トナーのキャリアに対する被覆率が４０〜８０％の間に付着するよう管理されているときは、図６（ａ）に示すように二成分現像剤はキャリアに対して扁平部をもって静電的に付着しており、現像領域においては感光体表面と摺擦状態にあり、現像バイアスが印加されることによって、図２（ｂ）に示すように扁平トナーは感光体ドラム１０の潜像位置に扁平部をもって付着し、薄層でしかも画像濃度が得られる現像が行われる。かかる現像において先に説明した外添剤を用いることが、現像性を高め、良質で薄層のトナー画像を形成する上で極めて有効である。
【０１０７】
（１０）  上記に説明した現像剤に扁平トナーを用いて現像を行う画像形成装置の各例について、図８ないし図１１を用いて説明する。図８は、本発明にかかわる扁平トナーを用いる画像形成装置の実施例の第１の例を示すカラー画像形成装置の断面構成図であり、図９は、本発明にかかわる扁平トナーを用いる画像形成装置の実施例の第２の例を示すカラー画像形成装置の断面構成図であり、図１０は、本発明にかかわる扁平トナーを用いる画像形成装置の実施例の第３の例を示すカラー画像形成装置の断面構成図であり、図１１は、像形成体或いは中間転写体上の扁平トナーからなるトナー像を示す図である。
【０１０８】
図８に示す画像形成装置では、像形成体としての感光体ドラム１０ａは、例えばガラスや透光性アクリル樹脂等の透光性部材によって形成される円筒状の基体の外周に、透光性の導電層及び有機感光層（ＯＰＣ）の光導電体層を形成したものである。
【０１０９】
感光体ドラム１０ａは、図示しない駆動源からの動力により、透光性の導電層を接地された状態で図１の矢印で示す時計方向に回転される。
【０１１０】
本実施例で用いる、画像露光用の露光ビームは、その結像点である感光体ドラム１０ａの光導電体層において、光導電体層の光減衰特性（光キャリア生成）に対して適正なコントラストを付与できる波長の露光光量を有していて、適切なコントラストを付与できればよい。透光性の基体の素材としては、アクリル樹脂、特にメタクリル酸メチルエステルモノマーを重合したものが、透光性、強度、精度、表面性等において優れており好ましく用いられるが、その他一般光学部材などに使用されるアクリル、フッ素、ポリエステル、ポリカーボネート、ポリエチレンテレフタレートなどの各種透光性樹脂が使用可能である。また、露光光に対して透光性を有していれば、着色していてもよい。透光性の導電層としては、インジウム錫酸化物（ＩＴＯ）、酸化錫、酸化鉛、酸化インジウム、ヨウ化銅や、Ａｕ、Ａｇ、Ｎｉ、Ａｌなどからなる透光性を維持した金属薄膜が用いられ、成膜法としては、真空蒸着法、活性反応蒸着法、各種スパッタリング法、各種ＣＶＤ法、浸漬塗工法、スプレー塗布法などが利用出来る。また、光導電体層としては各種有機感光層（ＯＰＣ）が使用出来る。
【０１１１】
光導電体層の感光層としての有機感光層は、電荷発生物質（ＣＧＭ）を主成分とする電荷発生層（ＣＧＬ）と電荷輸送物質（ＣＴＭ）を主成分とする電荷輸送層（ＣＴＬ）とに機能分離された二層構成の感光層とされる。二層構成の有機感光層は、ＣＴＬが厚いために有機感光層としての耐久性が高く本発明に適する。なお有機感光層は、電荷発生物質（ＣＧＭ）と電荷輸送物質（ＣＴＭ）を１つの層中に含有する単層構成とされてもよく、該単層構成又は前記二層構成の感光層には、通常バインダ樹脂が含有される。
【０１１２】
以下に説明する帯電手段としてのスコロトロン帯電器１１、画像書込手段としての露光光学系１２ａ、現像手段としての現像器１３は、それぞれ、イエロー（Ｙ）、マゼンタ（Ｍ）、シアン（Ｃ）及び黒色（Ｋ）の各色毎の画像形成プロセス用として準備されており、本実施形態においては、図８の矢印にて示す感光体ドラム１０ａの回転方向に対して、Ｙ、Ｍ、Ｃ、Ｋの順に配置される。
【０１１３】
スコロトロン帯電器１１は像形成体である感光体ドラム１０ａの移動方向に対して直交する方向（図８において紙面垂直方向）に感光体ドラム１０ａと対峙し近接して取り付けられ、感光体ドラム１０ａの前述した有機感光体層に対し所定の電位に保持された制御グリッド（符号なし）と、コロナ放電電極として例えば放電ワイヤ（符号なし）を用い、トナーと同極性のコロナ放電とによって帯電作用（本実施例においてはマイナス帯電）を行い、感光体ドラム１０ａに対し一様な電位を与える。コロナ放電電極としては、その他鋸歯状電極や針状電極を用いることも可能である。
【０１１４】
露光光学系１２ａは、それぞれ、像露光光の発光素子としてのＬＥＤ（発光ダイオード）を感光体ドラム１０ａの軸と平行に複数個アレイ状に並べた線状の露光素子（不図示）と等倍結像素子としてのセルフォックレンズ（不図示）とがホルダに取り付けられた露光用ユニットとして構成される。露光光学系保持部材としての円柱状の保持体２０に、各色毎の露光光学系１２ａが取付けられて感光体ドラム１０ａの基体内部に収容される。露光素子としてはその他、ＦＬ（蛍光体発光）、ＥＬ（エレクトロルミネッセンス）、ＰＬ（プラズマ放電）等の複数の発光素子をアレイ状に並べた線状のものが用いられる。
【０１１５】
露光光学系１２ａは、感光体ドラム１０ａ上での露光位置を、スコロトロン帯電器１１と現像器１３との間で、現像器１３に対して感光体ドラム１０ａの回転方向上流側に設けた状態で、感光体ドラム１０ａの内部に配置される。
【０１１６】
露光光学系１２ａは、別体のコンピュータ（不図示）から送られメモリに記憶された各色の画像データに基づいて画像処理を施した後、一様に帯電した感光体ドラム１０ａに像露光を行い、感光体ドラム１０ａ上に潜像を形成する。この実施例で使用される発光素子の発光波長は、通常Ｙ、Ｍ、Ｃのトナーの透光性の高い６８０〜９００ｎｍの範囲のものが良好であるが、裏面から像露光を行うことからカラートナーに透光性を十分に有しないこれより短い波長でもよい。
【０１１７】
現像器１３は、内部にイエロー（Ｙ）、マゼンタ（Ｍ）、シアン（Ｃ）若しくは黒色（Ｋ）の二成分の扁平トナーを有する現像剤を収容した現像器１３は、スコロトロン帯電器１１による帯電と露光光学系１２ａによる像露光（画像書込）とによって形成される感光体ドラム１０ａ上の静電潜像を、非接触の状態で感光体ドラム１０ａの帯電極性と同極性のトナー（本実施例においては感光体ドラムは負帯電であり、トナーは負極性）により反転現像する。
【０１１８】
画像形成のスタートにより不図示の像形成体駆動モータの始動により感光体ドラム１０ａが図８の矢印で示す時計方向へ回転され、同時にＹのスコロトロン帯電器１１の帯電作用により感光体ドラム１０ａに電位の付与が開始される。感光体ドラム１０ａは電位を付与されたあと、Ｙの露光光学系１２ａにおいて第１の色信号すなわちＹの画像データに対応する電気信号による露光（画像書込）が開始され感光体ドラム１０ａの回転走査によってその表面の感光層に原稿画像のイエロー（Ｙ）の画像に対応する静電潜像が形成される。この潜像はＹの現像器１３により非接触の状態で反転現像され、感光体ドラム１０ａ上にイエロー（Ｙ）の扁平トナーからなるトナー像が形成される。
【０１１９】
次いで、感光体ドラム１０ａは前記イエロー（Ｙ）のトナー像の上に、Ｍのスコロトロン帯電器１１の帯電作用により電位が付与され、Ｍの露光光学系１２ａの第２の色信号すなわちマゼンタ（Ｍ）の画像データに対応する電気信号による露光（画像書込）が行われ、Ｍの現像器１３による非接触の反転現像によって前記のイエロー（Ｙ）の扁平トナーからなるトナー像の上にマゼンタ（Ｍ）の扁平トナーからなるトナー像が重ね合わせて形成される。
【０１２０】
同様のプロセスにより、Ｃのスコロトロン帯電器１１、露光光学系１２ａ及び現像器１３によってさらに第３の色信号に対応するシアン（Ｃ）の扁平トナーからなるトナー像が、また、Ｋのスコロトロン帯電器１１、露光光学系１２ａ及び現像器１３によって第４の色信号に対応する黒色（Ｋ）の扁平トナーからなるトナー像が順次重ね合わせて形成され、感光体ドラム１０ａの一回転以内にその周面上に扁平トナーからなる重ね合わせのカラートナー像が形成される。
【０１２１】
このように、本実施例では、Ｙ、Ｍ、Ｃ及びＫの露光光学系１２ａによる感光体ドラム１０ａの有機感光層に対する露光は、感光体ドラム１０ａの内部より透光性の基体を通して行われる。従って、第２、第３及び第４の色信号に対応する画像の露光は何れも先に形成されたトナー像により遮光されることなく静電潜像を形成することが可能となり、好ましいが、感光体ドラム１０ａの外部から露光してもよい。
【０１２２】
一方、主として転写材（記録材）として用いられる記録紙Ｐが、転写材収納手段としての給紙カセット１５より、送り出しローラ（符号なし）により送り出され、給送ローラ（符号なし）により給送されて転写材給送手段としてのタイミングローラ１６へ搬送される。
【０１２３】
記録紙Ｐは、タイミングローラ１６の駆動によって、感光体ドラム１０ａ上に担持された扁平トナーからなる重ね合わせのカラートナー像との同期がとられ、転写材帯電手段としての紙帯電器１５０の帯電により搬送ベルト１４Ａに吸着されて転写域（符号なし）へ給送される。搬送ベルト１４Ａにより密着搬送された記録紙Ｐは、転写域でトナーと反対極性（本実施形態においてはプラス極性）の電圧が印加される転写手段としての転写器１４Ｃにより、感光体ドラム１０ａの周面上の扁平トナーからなる重ね合わせのカラートナー像が一括して記録紙Ｐ上に転写される。
【０１２４】
扁平トナーからなる重ね合わせのカラートナー像が転写された記録紙Ｐは、転写材分離手段としての紙分離ＡＣ除電器１４ｈにより除電されて、搬送ベルト１４Ａから分離され、定着装置１７へと搬送される。
【０１２５】
定着装置１７は扁平トナーからなる重ね合わせのカラートナー像を定着するための定着ローラ部材（転写材のトナー像を有する側の面に設けられるローラ部材）としての定着ローラ１７ａと、定着ローラ１７ａに対向して設けられる加圧ローラ部材（転写材のトナー像を有しない側の面に設けられるローラ部材）としての加圧ローラ１７ｂとにより構成され、定着ローラ１７ａの内部中心には、発熱源としての発熱フィラメント（符号なし）を有する加熱手段であるハロゲンランプＨＬａが設けられる。
【０１２６】
定着ローラ１７ａと加圧ローラ１７ｂとの間で形成されるニップ部Ｎで記録紙Ｐが挟持され、熱と圧力とを加えることにより記録紙Ｐ上の扁平トナーからなる重ね合わせのカラートナー像が定着され、記録紙Ｐは排紙ローラ１８により送られて、装置上部のトレイへ排出される。
【０１２７】
転写後の感光体ドラム１０ａの周面上に残ったトナーは、像形成体クリーニング手段としての感光体クリーニング装置１９に設けられた感光体クリーニングブレード（符号なし）によりクリーニングされる。残留トナーを除去された感光体ドラム１０ａはスコロトロン帯電器１１によって一様帯電を受け、次の画像形成サイクルに入る。
【０１２８】
上記の如くにして、扁平トナーを用いることにより、図１１（ａ）に示すように、感光体ドラム１０ａ上に薄層化と平坦化され、トナー乱れのない重ね合わせのカラートナー像が形成され、また図１１（ｂ）に示すように、感光体ドラム１０ａ上の重ね合わせのカラートナー像が転写された記録紙Ｐ上においても薄層化と平坦化され、トナー乱れのない重ね合わせのカラートナー像が形成される。
【０１２９】
なお上記画像形成装置においては、カラー画像形成にて説明したが、モノクロ画像のみの画像形成を行うことも可能である。
【０１３０】
また上記において、感光体ドラム１０ａ上に付着される単色での扁平トナーは、扁平トナーの扁平面を寝かせた状態で感光体ドラム１０ａの潜像部を均一に覆う程度の量を、最大での必要量とすることが好ましい。即ち、扁平トナーによる好ましいトナー層厚は一様に隙間無く扁平トナーが付着された状態（扁平トナーが潰された状態）で、（０．７〜１．３）×ｄ（ｄは図１にて前述した扁平トナーの厚さ）であることが好ましく、これにより、十分な画像濃度を有する薄いトナー像の形成が可能となる。
【０１３１】
図９に示す画像形成装置では、画像形成装置上部には、透明なガラス板などからなる原稿台と、さらに原稿台上に載置した原稿Ｄを覆う原稿カバー等からなる原稿載置部１１１があり、原稿台の下方であって、装置本体内には第１ミラーユニット１１２、第２ミラーユニット１１３、主レンズ１２０、カラーＣＣＤ１２３等からなる画像読み取り部Ａが設けられている。第１ミラーユニット１１２は露光ランプ１１４、第１ミラー１１５を備え、原稿台と平行に、かつ図面左右方向へ直線移動可能に取り付けられていて、原稿Ｄの全面を光学走査する。第２ミラーユニット１１３は第２ミラー１１６及び第３ミラー１１７を一体化して備え、常に所定の光路長を保つように第１ミラーユニット１１２の１／２の速度で左右同方向に直線移動する。勿論この第２ミラーユニット１１３の移動は第１ミラーユニット１１２と同様に原稿台に対して平行である。露光ランプ１１４によって照明される原稿台上の原稿Ｄの像は、主レンズ１２０により第１ミラー１１５、第２ミラー１１６、第３ミラー１１７を経てカラーＣＣＤ１２３上へ結像されるようになっている。走査が終わると第１ミラーユニット１１２及び第２ミラーユニット１１３は元の位置に戻り、次のコピーまで待機する。
【０１３２】
カラーＣＣＤ１２３によって得られた各色の画像データは画像処理部において画像処理され、画像信号として次に説明する画像形成部Ｅにレーザ書込みが行われる。
【０１３３】
図９に示す画像形成装置は画像形成部Ｅとして中間転写体を用いたタンデム方式のカラー画像形成装置であって、中間転写体としての転写ベルト１４ａの周縁部には黒色（Ｋ）、シアン（Ｃ）、マゼンタ（Ｍ）及びイエロー（Ｙ）から成る４組のプロセスユニット１００が、転写ベルト１４ａの回転方向上流側から、その順に設けられていて、各プロセスユニット１００では、扁平トナーを用いる、Ｋ、Ｃ、Ｍ及びＹのトナー像が形成され、かかる扁平トナーからなるトナー像は転写ベルト１４ａの上で重ね合わせて転写され、転写された重ね合わせのカラートナー像は転写材としての記録紙Ｐ上に一括転写され、定着されて機外に排出される構成となっている。
【０１３４】
４組のプロセスユニット１００は何れも共通した構造となっているので、その１組について説明する。
【０１３５】
像形成体としての感光体ドラム１０は、円筒状の基体の外周に、導電層及び有機感光層（ＯＰＣ）の光導電体層を形成したものである。
【０１３６】
感光体ドラム１０は、図示しない駆動源からの動力により、或いは転写ベルト１４ａに従動し、導電層を接地された状態で矢印で示す反時計方向に回転される。
【０１３７】
１１は帯電手段としてのスコロトロン帯電器で、感光体ドラム１０の移動方向に対して直交する方向に感光体ドラム１０と対峙し近接して取り付けられ、トナーと同極性のコロナ放電によって、感光体ドラム１０に対し一様な電位を与える。
【０１３８】
１２は画像データに基づいてＫ、Ｃ、Ｍ及びＹの像露光を行う画像書込手段としての露光光学系で、例えばポリゴンミラー等によって感光体ドラム１０の回転軸と平行に走査を行う走査光学系である。一様帯電された感光体ドラム１０上に露光光学系１２によって像露光を行うことによって潜像が形成される。
【０１３９】
感光体ドラム１０周縁には、負に帯電した扁平トナーと磁性キャリアから成る二成分の現像剤を内蔵した現像器１３が設けられていて現像が行われる。
なお現像は接触現像であっても非接触現像であっても差し支えない。この扁平トナーからなるトナー像は転写位置において後に説明する転写ベルト１４ａ上に転写がなされる。転写を終えて感光体ドラム１０上に残留した転写残トナーは、静電的に回収を行う感光体クリーニング装置１９によって清掃が行われる。
【０１４０】
Ｋ、Ｃ、Ｍ及びＹから成る４色のプロセスユニット１００が並列して対向する転写ベルト１４ａは体積抵抗率１０10〜１０15Ω・ｃｍ、表面抵抗率１０10〜１０15Ω／□の無端ベルトであり、例えば変性ポリイミド、熱硬化ポリイミド、エチレンテトラフルオロエチレン共重合体、ポリフッ化ビニリデン、ナイロンアロイ等のエンジニアリングプラスチックに導電材料を分散した、厚さ０．１〜１．０ｍｍの半導電性フィルム基体の外側に、好ましくはトナーフィルミング防止層として厚さ５〜５０μｍのフッ素コーティングを行った、２層構成のシームレスベルトである。転写ベルト１４ａの基体としては、この他に、シリコンゴム或いはウレタンゴム等に導電材料を分散した厚さ０．５〜２．０ｍｍの半導電性ゴムベルトを使用することも出来る。転写ベルト１４ａは、駆動ローラ１４ｄ、従動ローラ１４ｅ、テンションローラ１４ｋ及びバックアップローラ１４ｊに外接して張架され、画像形成時には、不図示の駆動モータよりの駆動をうけて駆動ローラ１４ｄが回転され、各色毎の転写位置では第１の転写手段としての１次転写ローラ１４ｃにより感光体ドラム１０に転写ベルト１４ａが押圧され、転写ベルト１４ａが図の矢印で示す方向に回転される。
【０１４１】
各色毎の第１の転写手段としてのローラ部材からなる１次転写ローラ１４ｃは、転写ベルト１４ａを挟んで各色毎の感光体ドラム１０に対向して設けられ、転写ベルト１４ａと各色毎の感光体ドラム１０との間に各色毎の転写域（符号なし）を形成する。各色毎の１次転写ローラ１４ｃにはトナーと反対極性（本実施例においてはプラス極性）の直流電圧を印加し、転写域に転写電界を形成することにより、各色毎の感光体ドラム１０上のトナー像を転写ベルト１４ａ上に転写する。
【０１４２】
各色毎の除電手段である除電器１４ｍは、好ましくはコロナ放電器により構成され、１次転写ローラ１４ｃにより帯電された転写ベルト１４ａを除電する。
【０１４３】
画像記録のスタートにより不図示の感光体駆動モータの始動により黒（Ｋ）のプロセスユニット１００の感光体ドラム１０が図の矢印で示す方向へ回転され、同時にＫのスコロトロン帯電器１１の帯電作用によりＫの感光体ドラム１０に電位の付与が開始される。
【０１４４】
Ｋの感光体ドラム１０は電位を付与されたあと、Ｋの露光光学系１２によって制御部から出力する電気信号による画像書込が開始され、Ｋの感光体ドラム１０の表面に制御部からの出力画像に対応する静電潜像が形成される。
【０１４５】
前記のＫの潜像はＫの現像器１３により非接触状態で反転現像がなされＫの感光体ドラム１０の回転に応じＫの扁平トナーによるＫの扁平トナーからなるトナー像が形成される。
【０１４６】
上記の画像形成プロセスによって像形成体であるＫの感光体ドラム１０上に形成されたＫの扁平トナーからなるトナー像が、Ｋの転写域（符号なし）において、Ｋの１次転写ローラ１４ｃによって、転写ベルト１４ａ上に転写される。
【０１４７】
Ｋのプロセスユニット１００の作動に僅かに遅れて、シアン（Ｃ）のプロセスユニット１００の感光体ドラム１０が図の矢印で示す方向へ回転され、同時にＣのスコロトロン帯電器１１の帯電作用によりＣの感光体ドラム１０に電位の付与が開始される。
【０１４８】
Ｃの感光体ドラム１０は電位を付与されたあと、Ｃの露光光学系１２によってＫのトナー像と同期してＣの画像データに対応する電気信号による画像書込が開始され、Ｃの感光体ドラム１０の表面に原稿画像のＣの画像に対応する静電潜像が形成される。
【０１４９】
前記のＣの潜像はＣの現像器１３により非接触状態で反転現像がなされＣの感光体ドラム１０の回転に応じＣの扁平トナーによるＣのトナー像が形成される。
【０１５０】
上記の画像形成プロセスによって像形成体であるＣの感光体ドラム１０上に形成されたＣの扁平トナーからなるトナー像が、Ｃの転写域（符号なし）において、Ｃの１次転写ローラ１４ｃによって、転写ベルト１４ａのＫの扁平トナーからなるトナー像上に転写される。
【０１５１】
次いで転写ベルト１４ａは、Ｍのトナー像と同期が取られ、マゼンタ（Ｍ）のプロセスユニット１００によりＭの感光体ドラム１０上に形成されたＭの画像データに対応するＭの扁平トナーからなるトナー像が、Ｍの転写域（符号なし）において、Ｍの１次転写ローラ１４ｃによって、前記のＫ、Ｃの扁平トナーからなる重ね合わせのトナー像の上から、重ね合わせて形成される。
【０１５２】
同様のプロセスにより、Ｋ、Ｃ、Ｍの扁平トナーからなる重ね合わせのトナー像と同期が取られ、イエロー（Ｙ）の扁平トナーを用いたプロセスユニット１００によりＹの感光体ドラム１０上に形成された、Ｙの画像データに対応するＹの扁平トナーを用いたＹのトナー像が、Ｙの転写域（符号なし）において、Ｙの１次転写ローラ１４ｃによって、前記のＫ、Ｃ、Ｍの扁平トナーからなる重ね合わせのトナー像の上から重ね合わせて形成され、転写ベルト１４ａ上にＫ、Ｃ、Ｍ及びＹの扁平トナーからなる重ね合わせのカラートナー像が形成される。
【０１５３】
転写後の各色毎の感光体ドラム１０の周面上に残った転写残トナーは、各色毎の像形成体クリーニング手段である感光体クリーニング装置１９によりクリーニングされる。
【０１５４】
転写ベルト１４ａ上の重ね合わせのカラートナー像形成と同期して転写材収納手段である給紙カセット１５から、転写材給送手段としてのタイミングローラ１６を経て、主として転写材（記録材）として用いられる記録紙Ｐが、第２の転写手段である２次転写器１４ｇの転写域（符号なし）へと搬送され、トナーと反対極性の直流電圧が印加される２次転写器１４ｇにより、転写ベルト１４ａ上の扁平トナーからなる重ね合わせカラートナー像が記録紙Ｐ上に一括して転写される。記録紙Ｐ上にはＫ、Ｃ、Ｍ、Ｙの扁平トナーからなる重ね合わせのカラートナー像が存在することとなる。
【０１５５】
扁平トナーからなる重ね合わせのカラートナー像が転写された記録紙Ｐは、鋸歯状電極板から成る分離手段である除電電極１６ｂにより除電され、定着装置１７へと搬送される。
【０１５６】
定着装置１７は扁平トナーからなる重ね合わせのカラートナー像を定着するための定着ローラ部材（転写材のトナー像を有する側の面に設けられるローラ部材）としての定着ローラ１７ａと、定着ローラ１７ａに対向して設けられる加圧ローラ部材（転写材のトナー像を有しない側の面に設けられるローラ部材）である加圧ローラ１７ｂとにより構成される。定着ローラ１７ａの内部中心には、発熱源としての発熱フィラメント（符号なし）を有する加熱手段であるハロゲンランプＨＬａが設けられる。
【０１５７】
定着ローラ１７ａと圧着ローラ１７ｂとの間で熱と圧力とを加えられることにより記録紙Ｐ上の扁平トナーからなる重ね合わせのカラ−トナー像が定着された後、排出ローラ１８により送られ装置上部のトレイへ排出される。
【０１５８】
転写後の転写ベルト１４ａの周面上に残った転写残トナーは、転写ベルト１４ａを挟んで従動ローラ１４ｅに対向して設けられる中間転写体クリーニング手段としての中間転写体クリーニング装置１９ａによりクリーニングされる。
【０１５９】
上記の如くにして、扁平トナーを用いることにより、図１１（ａ）に示すように、感光体ドラム１０上に薄層化と平坦化され、トナー乱れのないトナー像が形成され、また図１１（ｃ）に示すように、各色の感光体ドラム１０上のトナー像が転写された搬送ベルト１４ａ上においても、薄層化と平坦化され、トナー乱れのない重ね合わせのカラートナー像が形成され、また図１１（ｂ）に示すように、搬送ベルト１４ａ上の重ね合わせのカラートナー像が転写された記録紙Ｐ上においても薄層化と平坦化され、トナー乱れのない重ね合わせのカラートナー像が形成される。
【０１６０】
また上記において、感光体ドラム１０ａ上に付着される単色での扁平トナーは、扁平トナーの扁平面を寝かせた状態で感光体ドラム１０ａの潜像部を均一に覆う程度の量を、最大での必要量とすることが好ましい。即ち、扁平トナーによる好ましいトナー層厚は一様に隙間無く扁平トナーが付着された状態（扁平トナーが潰された状態）で、（０．７〜１．３）×ｄ（ｄは図１にて前述した扁平トナーの厚さ）であることが好ましく、これにより、十分な画像濃度を有する薄いトナー像の形成が可能となる。
【０１６１】
図１０に示すカラー画像形成装置は中間転写体を用いたタンデム方式のカラー画像形成装置であって、中間転写体としての転写ベルト１４ａの周縁部には、転写ベルト１４ａの回転方向上流側から、黒色（Ｋ）、シアン（Ｃ）、マゼンタ（Ｍ）及びイエロー（Ｙ）から成る４組のカラー画像形成用のプロセスユニット１００が設けられていて、Ｋ、Ｃ、Ｍ及びＹのプロセスユニット１００では扁平トナーからなる淡トナーと、扁平トナーからなる濃トナーとを用いてのＫ、Ｃ、Ｍ及びＹの、扁平トナーからなる重ね合わせトナー像が形成され、各プロセスユニット１００にて形成された扁平トナーからなるトナー像は転写ベルト１４ａの上で重ね合わせて転写されて、転写ベルト１４ａ上に扁平トナーからなる重ね合わせのカラートナー像が形成され、転写ベルト１４ａ上に転写された扁平トナーからなる重ね合わせのカラートナー像が転写材上に一括して転写され、定着されて機外に排出される構成となっている。
【０１６２】
Ｋ、Ｃ、Ｍ及びＹの４組のプロセスユニット１００は何れも共通した構造となっているので、その１組について説明する。
【０１６３】
プロセスユニット１００は、感光体ドラム１０と、トナー像の転写位置からみて、感光体ドラム１０の回転方向上流側から、感光体ドラム１０上の転写残トナーをクリーニングするための感光体クリーニング装置１９と、淡トナー像を形成するための淡トナー用のスコロトロン帯電器１１（Ｌ）、る淡トナー用の露光光学系１２（Ｌ）、扁平トナーからなる淡トナー用の現像器１３（Ｌ）と、濃トナー像を形成するための濃トナー用のスコロトロン帯電器１１（Ｈ）、濃トナー用の露光光学系１２（Ｈ）、扁平トナーからなる濃トナー用の現像器１３（Ｈ）とから構成される。
【０１６４】
像形成体である感光体ドラム１０は、例えばアルミパイプ、アクリル樹脂パイプ等を用いた円筒状の基体の外周に、導電層及び有機感光層（ＯＰＣ）の光導電体層を形成したものである。
【０１６５】
感光体ドラム１０は、図示しない駆動源からの動力により、或いは転写ベルト１４ａに従動し、導電層を接地された状態で矢印で示す反時計方向に回転される。
【０１６６】
淡トナー用の帯電手段（第１の帯電手段）であるスコロトロン帯電器１１（Ｌ）及び濃トナー用の帯電手段（第２の帯電手段）であるスコロトロン帯電器１１（Ｈ）は、それぞれ、感光体ドラム１０の移動方向に対して直交する方向に感光体ドラム１０と対峙し近接して取り付けられ、トナーと同極性のコロナ放電によって、感光体ドラム１０に対し一様な電位を与える。
【０１６７】
淡トナー用の像露光手段（第１の像露光手段）である露光光学系１２（Ｌ）、濃トナー用の像露光手段（第２の像露光手段）である露光光学系１２（Ｈ）は、それぞれ、例えばポリゴンミラー等によって感光体ドラム１０の回転軸と平行に走査を行う走査光学系が用いられる。露光光学系１２（Ｌ）は、外部露光を用い、淡トナー用の画像データによって第１の画像書込（第１の像露光）を行う画像書込手段であり、露光光学系１２（Ｈ）は、外部露光を用い、濃トナー用の画像データによって第２の画像書込（第２の像露光）を行う画像書込手段である。
【０１６８】
扁平トナーからなる淡トナー用の現像手段（第１の現像手段）である現像器１３（Ｌ）は、扁平トナーからなる淡トナー現像剤を内蔵し、接触又は非接触によって第１の反転現像を行う。また扁平トナーからなる濃トナー用の現像手段である現像器１３（Ｈ）は、扁平トナーからなる濃トナー現像剤を内蔵し、非接触現像によって第２の反転現像を行う。
【０１６９】
画像形成に当たっては、各色毎の画像データは、淡トナー用の画像データと濃トナー用の画像データとに分けられ、先ず、淡トナー用のスコロトロン帯電器１１（Ｌ）により一様帯電された感光体ドラム１０に、淡トナー用の画像データによる第１の像露光が露光光学系１２（Ｌ）によってなされて、淡トナーの潜像形成が行われ、扁平トナーからなる淡トナー用の現像器１３（Ｌ）の現像ローラ１３ａ（Ｌ）によって、扁平トナーからなる淡トナーによる第１の現像が行われる。次に、扁平トナーからなる淡トナー像が形成された感光体ドラム１０に、濃トナー用のスコロトロン帯電器１１（Ｈ）により再帯電が行われ、濃トナー用の画像データによる第２の像露光が、露光光学系１２（Ｈ）によって行われて、濃トナーの潜像形成がなされ、扁平トナーからなる濃トナー用の現像器１３（Ｈ）の現像ローラ１３ａ（Ｈ）によって、扁平トナーからなる濃トナーによる第２の現像が行われて、扁平トナーからなる淡トナーによるトナー像の上に、扁平トナーからなる濃トナーによるトナー像が感光体ドラム１０上に重ねて形成される。この扁平トナーからなる淡、濃トナー像（重ね合わせトナー像）は、第１の転写手段の転写位置において、転写ベルト１４ａ上に転写がなされる。
【０１７０】
転写を終えた感光体ドラム１０上に残留した転写残トナーは、静電的に回収を行う感光体クリーニング装置１９によって清掃が行われる。
【０１７１】
Ｋ、Ｃ、Ｍ及びＹの４組のプロセスユニット１００が並列して対向する中間転写体としての転写ベルト１４ａは体積抵抗率が１０10〜１０15Ω・ｃｍ、表面抵抗率が１０10〜１０15Ω／□の無端ベルトであり、例えば変性ポリイミド、熱硬化ポリイミド、エチレンテトラフルオロエチレン共重合体、ポリフッ化ビニリデン、ナイロンアロイ等のエンジニアリングプラスチックに導電材料を分散した、厚さ０．１〜１．０ｍｍの半導電性フィルム基体の外側に、好ましくはトナーフィルミング防止層として厚さ５〜５０μｍのフッ素コーティングを行った、２層構成のシームレスベルトである。転写ベルト１４ａの基体としては、この他に、シリコンゴム或いはウレタンゴム等に導電材料を分散した厚さ０．５〜２．０ｍｍの半導電性ゴムベルトを使用することもできる。転写ベルト１４ａは、駆動ローラ１４ｄ、従動ローラ１４ｅ、テンションローラ１４ｋ及びバックアップローラ１４ｊに外接して張架され、画像形成時には、不図示の駆動モータよりの駆動をうけて駆動ローラ１４ｄが回転され、各色毎の転写位置では１次転写ローラ１４ｃにより感光体ドラム１０に転写ベルト１４ａが押圧され、転写ベルト１４ａが図の矢印で示す方向に回転される。
【０１７２】
Ｋ、Ｃ、Ｍ及びＹの第１の転写手段であるローラ部材からなる１次転写ローラ１４ｃは、転写ベルト１４ａを挟んで各々の感光体ドラム１０に対向して設けられ、転写ベルト１４ａと各々の感光体ドラム１０との間に各々の転写域（符号なし）を形成する。各々の１次転写ローラ１４ｃにはトナーと反対極性（本実施形態においてはプラス極性）の直流電圧を印加し、転写域（符号なし）に転写電界を形成することにより、Ｋ、Ｃ、Ｍ及びＹの感光体ドラム１０上のそれぞれ扁平トナーからなる淡、濃トナー像を転写ベルト１４ａ上に転写する。
【０１７３】
各色毎の除電手段である除電器１４ｎは、好ましくはコロナ放電器により構成され、１次転写ローラ１４ｃにより帯電された転写ベルト１４ａを除電する。
【０１７４】
画像記録のスタートにより不図示の感光体駆動モータの始動により黒（Ｋ）のプロセスユニット１００の感光体ドラム１０が図の矢印で示す方向へ回転され、同時にＫの淡トナー用のスコロトロン帯電器１１（Ｌ）の帯電作用によりＫの感光体ドラム１０に電位の付与が開始される。
【０１７５】
Ｋの感光体ドラム１０は電位を付与されたあと、Ｋの淡トナー用の露光光学系１２（Ｌ）によって、第１の色信号のＫの淡トナー用の画像データに対応する電気信号による、外部露光での第１の像露光が開始され、Ｋの感光体ドラム１０の表面に原稿画像のＫの画像に対応する淡トナー用の静電潜像が形成される。
【０１７６】
前記の淡トナー用の潜像は、Ｋの扁平トナーからなる淡トナー用の現像器１３（Ｌ）により接触状態で第１の反転現像がなされＫの感光体ドラム１０の回転に応じＫの扁平トナーからなる淡トナーによるトナー像が形成される。続いてＫの濃トナー用のスコロトロン帯電器１１（Ｈ）による帯電と、Ｋの濃トナー用の露光光学系１２（Ｈ）による第１の色信号のＫの濃トナー用の画像データに対応する電気信号による、外部露光での第２の像露光による、Ｋの画像に対応する濃トナー用の静電潜像の形成と、Ｋの扁平トナーからなる濃トナー用の現像器１３（Ｈ）による第２の現像とによって、Ｋの扁平トナーからなる濃トナーによるトナー像が先に形成されたＫの扁平トナーからなる淡トナーによるトナー像の上に重ねて形成される。
【０１７７】
上記の画像形成プロセスによって像形成体であるＫの感光体ドラム１０上に形成された、それぞれ扁平トナーを用いる淡、濃トナーからなるＫのトナー像（扁平トナーからなる重ね合わせのトナー像）が、Ｋの転写域（符号なし）において、Ｋの１次転写ローラ１４ｃによって、転写ベルト１４ａ上に転写される。
【０１７８】
次いで転写ベルト１４ａは、Ｃのトナー像と同期が取られ、シアン（Ｃ）のプロセスユニット１００によりＣの感光体ドラム１０上に形成された、第２の色信号によるＣの淡、濃トナー用の画像データに対応し、それぞれ扁平トナーを用いるＣの淡、濃トナーからなるトナー像（扁平トナーからなる重ね合わせのトナー像）が、Ｃの転写域（符号なし）において、Ｃの１次転写ローラ１４ｃによって、前記転写ベルト１４ａ上のそれぞれ扁平トナーを用いるＫの濃、淡トナーからなるトナー像（扁平トナーからなる重ね合わせのトナー像）の上から、転写ベルト１４ａ上において重ね合わせて形成される。
【０１７９】
同様のプロセスにより、Ｋ、Ｃの重ね合わせトナー像と同期が取られ、マゼンタ（Ｍ）のプロセスユニット１００によりＭの感光体ドラム１０上に形成された、第３の色信号によるＭの淡、濃トナー用の画像データに対応する、それぞれ扁平トナーを用いるＭの淡、濃トナーからなるトナー像（扁平トナーからなる重ね合わせのトナー像）が、Ｍの転写域（符号なし）において、Ｍの１次転写ローラ１４ｃによって、前記転写ベルト１４ａ上のＫ、Ｃの扁平トナーからなる重ね合わせのトナー像の上から、転写ベルト１４ａ上において重ね合わせて形成され、更にＫ、Ｃ、Ｍの扁平トナーからなる重ね合わせのトナー像と同期が取られ、イエロー（Ｙ）のプロセスユニット１００によりＹの感光体ドラム１０上に形成された、第４の色信号によるＹの淡、濃トナー用の画像データに対応し、それぞれ扁平トナーを用いるＹの淡、濃トナーからなるトナー像（扁平トナーからなる重ね合わせのトナー像）が、Ｙの転写域（符号なし）において、Ｙの１次転写ローラ１４ｃによって、前記転写ベルト１４ａ上のＫ、Ｃ、Ｍの扁平トナーからなる重ね合わせのトナー像の上から、転写ベルト１４ａ上において重ね合わせて形成され、転写ベルト１４ａ上に扁平トナーからなるＫ、Ｃ、Ｍ及びＹの重ね合わせのカラートナー像が形成される。
【０１８０】
転写後の各々の感光体ドラム１０の周面上に残った転写残トナーは、各々の像形成体クリーニング手段であるクリーニング装置１９によりクリーニングされる。
【０１８１】
転写ベルト１４ａ上の重ね合わせのカラートナー像形成と同期して転写材収納手段である給紙カセット１５から、転写材給送手段としてのタイミングローラ１６を経て、主として転写材（記録材）として用いられる記録紙Ｐが、第２の転写手段である２次転写器１４ｇの転写域（符号なし）へと搬送され、トナーと反対極性の直流電圧が印加される２次転写器１４ｇにより、転写ベルト１４ａ上の扁平トナーからなる重ね合わせのカラートナー像が記録紙Ｐ上に一括して転写される。
【０１８２】
扁平トナーからなる重ね合わせのカラートナー像が転写された記録紙Ｐは、鋸歯状電極板から成る分離手段である除電電極１６ｂにより除電され、定着装置１７へと搬送される。
【０１８３】
定着装置１７は扁平トナーからなる重ね合わせのカラートナー像を定着するための定着ローラ部材（転写材のトナー像を有する側の面に設けられるローラ部材）としての定着ローラ１７ａと、定着ローラ１７ａに対向して設けられる加圧ローラ部材（転写材のトナー像を有しない側の面に設けられるローラ部材）としての加圧ローラ１７ｂとにより構成される。定着ローラ１７ａの内部中心には、発熱源としての発熱フィラメント（符号なし）を有する加熱手段であるハロゲンランプＨＬａが設けられる。
【０１８４】
定着ローラ１７ａと圧着ローラ１７ｂとの間で熱と圧力とを加えられることにより記録紙Ｐ上の扁平トナーからなる重ね合わせのカラ−トナー像が定着された後、排出ローラ１８により送られ装置上部のトレイへ排出される。
【０１８５】
転写後の転写ベルト１４ａの周面上に残った転写残トナーは、転写ベルト１４ａを挟んで従動ローラ１４ｅに対向して設けられる中間転写体クリーニング手段としての中間転写体クリーニング装置１９ａによりクリーニングされる。
【０１８６】
上記の如くにして、扁平トナーを用いることにより、図１１（ａ）に示すように、感光体ドラム１０上に薄層化と平坦化され、トナー乱れのないトナー像が形成され、また図１１（ｃ）に示すように、各色の感光体ドラム１０上のトナー像が転写された搬送ベルト１４ａ上においても、薄層化と平坦化され、トナー乱れのない重ね合わせのカラートナー像が形成され、また図１１（ｂ）に示すように、搬送ベルト１４ａ上の重ね合わせのカラートナー像が転写された記録紙Ｐ上においても薄層化と平坦化され、トナー乱れのない重ね合わせのカラートナー像が形成される。
【０１８７】
また上記において、感光体ドラム１０ａ上に付着される単色での扁平トナーは、扁平トナーの扁平面を寝かせた状態で感光体ドラム１０ａの潜像部を均一に覆う程度の量を、最大での必要量とすることが好ましい。即ち、扁平トナーによる好ましいトナー層厚は一様に隙間無く扁平トナーが付着された状態（扁平トナーが潰された状態）で、（０．７〜１．３）×ｄ（ｄは図１にて前述した扁平トナーの厚さ）であることが好ましく、これにより、十分な画像濃度を有する薄いトナー像の形成が可能となる。
【０１８８】
【発明の効果】
本発明は何れも二成分現像剤のトナーとして扁平トナーを用い、トナーの消費量が少なくても高濃度の画像が得られ、凹凸が少なく且つトナーの散りが無い高画質の画像が得られる優れた効果を奏する画像形成方法であって、
扁平トナーを用いて優れた画像形成がなされる効果を奏することとなった。
【図面の簡単な説明】
【図１】扁平トナーの１例を示す模式図。
【図２】扁平トナーの付着状態を示す説明図。
【図３】トナー付着量と画像濃度との関係を示す説明図。
【図４】アニュラー型連続湿式撹拌ミルの一例を示す要部断面図。
【図５】外添剤の扁平トナーへの付着状態を示す説明図。
【図６】扁平トナーのキャリアへの付着状態を示す投影図。
【図７】感光体ドラムに対向した現像スリーブの断面構成図。
【図８】扁平トナーを用いる画像形成装置（第１の例）の断面構成図。
【図９】扁平トナーを用いる画像形成装置（第２の例）の断面構成図。
【図１０】扁平トナーを用いる画像形成装置（第３の例）の断面構成図。
【図１１】像形成体或いは中間転写体上のトナー像を示す図。
【符号の説明】
１０，１０ａ  感光体ドラム
１１，１１（Ｈ），１１（Ｌ）  スコロトロン帯電器
１２，１２（Ｈ），１２（Ｌ），１２ａ  露光光学系
１４Ａ  搬送ベルト
１４ａ  転写ベルト
１４Ｃ  転写器
１４ｃ  １次転写ローラ
１４ｇ  ２次転写器
１００  プロセスユニット
１３１  現像スリーブ
１３２  マグネットロール
１３３  層厚規制部材
【図１】
0004254066.tif 000002
【図２】
0004254066.tif 000003
【図３】
0004254066.tif 000004
【図４】
0004254066.tif 000005
【図５】
0004254066.tif 000006
【図６】
0004254066.tif 000007
【図７】
0004254066.tif 000008
【図８】
0004254066.tif 000009
【図９】
0004254066.tif 000010
【図１０】
0004254066.tif 000011
【図１１】
0004254066.tif 000012